(57)【特許請求の範囲】
【請求項１】
ネットワークを介して情報端末及び出力装置に接続されるサーバ装置であって、
印刷予約ホームページを前記ネットワーク上で開設し、前記情報端末のユーザ情報に対応して仮登録ユーザか本登録ユーザかを示す登録情報を管理し、前記情報端末から同意メールを受信したユーザを本登録ユーザとして登録情報を登録し、同意メールを未受信のユーザを仮登録ユーザとして登録情報を登録する管理手段と、
前記情報端末により該ホームページ上で所望のコンテンツが印刷予約された場合、その予約情報を前記情報端末のユーザ情報に対応して記憶するとともに、該ユーザ情報に対応する前記登録情報を記憶する記憶手段と、
前記出力装置から送信されたユーザ情報を受信し、このユーザ情報に対応して前記記憶手段に記憶された登録情報が仮登録ユーザの場合はコンテンツ印刷の不許可を前記出力装置に通知し、該登録情報が本登録ユーザの場合はコンテンツ印刷を許可してユーザ情報に対応して前記記憶手段に記憶された予約情報のコンテンツを前記出力装置に送信する通信手段と、
を備えたことを特徴とするサーバ装置。
【請求項２】
前記管理手段は、同意メールを未受信のユーザの情報端末に対して同意メールの送信を促すメールを前記通信手段により送信させることを特徴とする請求項１記載のサーバ装置。
【請求項３】
前記通信手段は、前記出力装置から送信されるユーザ情報と利用規約印刷終了情報とを受信し、
前記管理手段は、前記通信手段によるユーザ情報と利用規約印刷終了情報の受信の有無によりユーザ情報に対応して利用規約が印刷済みか否かを示す印刷情報を前記記憶手段に記憶して管理し、利用規約を未印刷のユーザの情報端末に対して利用規約の印刷を促すメールを前記通信手段により送信させることを特徴とする請求項１記載のサーバ装置。
【発明の詳細な説明】
【０００１】
【発明の属する技術分野】
本発明は、コンテンツを配信するためのサーバ装置に関する。
【０００２】
【従来の技術】
近時、携帯型通信情報端末や携帯電話等の携帯通信端末を利用するユーザを対象にしてインターネットを利用したコンテンツ配信サービスが実施されており、登録ユーザに対してサービスが提供されている。
【０００３】
コンテンツ配信サービスを運用し管理するコンテンツ配信システムは、ユーザの登録時、あるいはコンテンツの利用予約時等に、ユーザの携帯通信端末に対して契約内容や利用予約内容等を確認する確認メールを送信している。
【０００４】
【発明が解決しようとする課題】
しかし、従来のコンテンツ配信サービスを運用し管理するコンテンツ配信システムにあっては、ユーザの登録時、あるいはコンテンツの利用予約時等に、ユーザの携帯通信端末に対して契約内容や利用予約内容等を確認する確認メールを送信していたが、携帯通信端末に搭載される表示装置の表示画面は比較的小さいため、確認メッセージを全部見ることは困難であり、利用契約に同意を得ることが困難であるという問題があった。
【０００５】
また、従来のコンテンツ配信システムでは、携帯通信端末ユーザのユーザ情報が変更された場合、当該ユーザがコンテンツ配信サーバに管理された登録情報に再度アクセスするまで変更内容が確認できないという問題もあった。
【０００６】
さらに、従来のコンテンツ配信システムでは、ユーザが利用予約した処理の実行を忘れ、その利用予約内容が放置された場合、ユーザに利用予約内容の実行を催促する等の機能が不十分であったため、利用内容が無駄になる可能性があり、コンテンツ配信サービスを運営する業者は料金回収の機会を逃す可能性があった。
【０００７】
また、従来のコンテンツ配信システムでは、サービスを利用した後、一定期間サービスを未使用のユーザに対して、サービスの利用促進を促すような機能が不十分であったため、ユーザがコンテンツ配信サービスを利用する機会が減る可能性があり、サービス運営上不利であった。
【０００８】
本発明の課題は、情報端末のユーザがユーザ登録時の契約内容の確認を容易にして契約同意を容易にすることである。
【００１１】
【課題を解決するための手段】
請求項１記載の発明は、ネットワーク（例えば、図１のインターネットＳ）を介して情報端末（例えば、図１の携帯端末３）及び出力装置（例えば、図１のプリントステーション６）に接続されるサーバ装置（例えば、図１のポータルサイトコンピュータ２）であって、印刷予約ホームページを前記ネットワーク上で開設し、前記情報端末のユーザ情報に対応して仮登録ユーザか本登録ユーザかを示す登録情報を管理し、前記情報端末から同意メールを受信したユーザを本登録ユーザとして登録情報を登録し、同意メールを未受信のユーザを仮登録ユーザとして登録情報を登録する管理手段（例えば、図５のＣＰＵ２１）と、前記情報端末により該ホームページ上で所望のコンテンツが印刷予約された場合、その予約情報を前記情報端末のユーザ情報に対応して記憶するとともに、該ユーザ情報に対応する前記登録情報を記憶する記憶手段（例えば、図５の記憶装置２６）と、前記出力装置から送信されたユーザ情報を受信し、このユーザ情報に対応して前記記憶手段に記憶された登録情報が仮登録ユーザの場合はコンテンツ印刷の不許可を前記出力装置に通知し、該登録情報が本登録ユーザの場合はコンテンツ印刷を許可してユーザ情報に対応して前記記憶手段に記憶された予約情報のコンテンツを前記出力装置に送信する通信手段（例えば、図５のインターネット伝送制御部２４）と、を備えたことを特徴としている。
【００１２】
この請求項１記載の発明によれば、ネットワークを介して情報端末及び出力装置に接続されるサーバ装置であって、印刷予約ホームページを前記ネットワーク上で開設し、管理手段が前記情報端末のユーザ情報に対応して仮登録ユーザか本登録ユーザかを示す登録情報を管理し、前記情報端末から同意メールを受信したユーザを本登録ユーザとして登録情報を登録し、同意メールを未受信のユーザを仮登録ユーザとして登録情報を登録し、記憶手段が前記情報端末により該ホームページ上で所望のコンテンツが印刷予約された場合、その予約情報を前記情報端末のユーザ情報に対応して記憶するとともに、該ユーザ情報に対応する前記登録情報を記憶し、通信手段が前記出力装置から送信されたユーザ情報を受信し、このユーザ情報に対応して前記記憶手段に記憶された登録情報が仮登録ユーザの場合はコンテンツ印刷の不許可を前記出力装置に通知し、該登録情報が本登録ユーザの場合はコンテンツ印刷を許可してユーザ情報に対応して前記記憶手段に記憶された予約情報のコンテンツを前記出力装置に送信する。
【００１３】
したがって、情報端末のユーザが会員登録時に利用規約（契約内容）の確認を容易にすることができるとともに、契約同意を容易にすることができる。
【００１４】
また、サーバ装置を運営・管理する業者は、配信用のコンテンツを本登録したユーザにのみ提供することが可能になり、コンテンツ配信サービスの利用効率の向上を図ることができ、料金回収の機会の増大を見込むことが可能になる。
【００２０】
【発明の実施の形態】
以下、図を参照して本発明の実施の形態を詳細に説明する。
図１〜図４５は、本発明を適用したプリントサービスシステムの一実施の形態を示す図である。
まず、構成を説明する。
図１は、本実施の形態におけるプリントサービスシステム１００のシステム構成を示す図である。この図１において、プリントサービスシステム１００は、通信事業者１と専用回線Ｔを介して接続されたポータルサイトコンピュータ２と、通信ネットワークＮに接続された携帯電話やＰＨＳなどの通信機能を備えた複数台の携帯端末３と、インターネットＳに接続された複数台の情報提供事業者コンピュータ４、広告サイト事業者コンピュータ５、及び複数ヶ所に設置されたプリントステーション６と、から構成されている。
【００２１】
なお、図１では３台の携帯端末３と、２台の情報提供事業者コンピュータ４と、３ヶ所に設置されたプリントステーション６が接続された場合を示しているが、それらの台数や設置箇所数は特に限定されない。また、広告サイト事業者コンピュータ５を複数台接続するようにしてもよい。
【００２２】
通信事業者１は、通信ネットワークＮに接続された携帯端末３と、インターネットＳに接続されたポータルサイトコンピュータ２、情報提供事業者コンピュータ４、広告サイト事業者コンピュータ５、及びプリントステーション６との間で、プリントサービスに関わる通信環境を提供し、その各者間での通信要求に応じたデータの通信手順などを制御する。
【００２３】
図１に示したプリントサービスシステム１００を構成するポータルサイトコンピュータ２、携帯端末３、情報提供事業者コンピュータ４、広告サイト事業者コンピュータ５、及びプリントステーション６の各制御機能の概要について、図２〜図４に示す図を参照して説明する。
【００２４】
図２は、携帯端末３と情報提供事業者コンピュータ４が有する制御機能の概要を示すブロック図である。
【００２５】
図２において、携帯端末３は、後述する利用会員登録処理（図１７参照）を実行し、ポータルサイトコンピュータ２にアクセスしてプリントサービス会員の登録処理を行う利用会員登録処理部３Ａと、プリントサービスを利用する際に、ポータルサイトコンピュータ２から利用クーポンの案内や利用料金の案内を受信する電子メール機能部３Ｂと、後述する利用予約登録処理（図３１、３２参照）を実行してポータルサイトコンピュータ２経由あるいは情報提供事業者コンピュータ４直接にプリントサービスの利用を予約する利用予約処理部３Ｃとを有する。
【００２６】
図２において、情報提供事業者コンピュータ４は、後述するコンテンツ利用案内処理（図３４参照）を実行し、ポータルサイトコンピュータ２経由で利用予約された携帯端末３ユーザのユーザ予約ＩＤを受信した時、その利用予約に対するリンクパラメータをポータルサイトコンピュータ２に送信して該当ユーザの認証を行うコンテンツ利用案内処理部２Ａと、プリントサービスに関わるコンテンツデータを格納するコンテンツファイル２Ｂとを有する。
【００２７】
図３は、プリントステーション６と広告サイト事業者コンピュータ５が有する制御機能の概要を示すブロック図である。
【００２８】
図３において、プリントステーション６は、後述する利用予約情報印刷処理（図４２参照）を実行してポータルサイトコンピュータ２にアクセスし、利用予約ユーザの認証処理、利用予約情報の取込処理、コンテンツ履歴ファイルと印刷書式ファイルの取込処理、コンテンツ及び広告印刷処理、及びクーポン金額計算処理等を行う利用予約情報印刷処理部６Ａと、この利用予約情報印刷処理部６Ａが利用する印刷書式ファイル６Ｂ、コンテンツファイル６Ｃ、広告コンテンツファイル６Ｄ、及び利用予約情報ファイル６Ｅとを有する。
【００２９】
広告サイト事業者コンピュータ５は、広告コンテンツ登録処理を実行し、各種利用条件を設定した広告コンテンツを作成して広告コンテンツファイル５Ｂに登録する広告コンテンツ登録処理部５Ａと、この広告コンテンツ登録処理部５Ａが利用する広告コンテンツファイル５Ｂとを有する。
【００３０】
図４は、ポータルサイトコンピュータ２が有する制御機能の概要を示すブロック図である。
【００３１】
図４において、ポータルサイトコンピュータ２は、後述する利用会員登録処理（図１６、１７参照）を実行して携帯端末３からの利用会員登録要求に応じて利用会員情報の仮登録処理や登録内容の変更処理を行う利用会員登録処理部２Ａと、この利用会員登録処理部２Ａが利用する利用会員ファイル２Ｂ（図８参照）と、ユーザ認証処理を実行して携帯端末３からの利用予約処理、情報提供事業者コンピュータ４に対するユーザ予約ＩＤの送信及びコンテンツ紹介処理、情報提供事業者コンピュータ４からのリンクパラメータの受信及び利用予約処理等を行うユーザ認証処理部２Ｃと、後述する利用予約情報受付処理（図３１、３２参照）を実行してユーザ認証処理部部２Ｃからのリンクパラメータ取得処理、そのリンクパラメータに基づく配信コンテンツ及び広告の利用内容の設定処理、利用予約情報の更新処理等を行う利用予約情報受付処理部２Ｄとを有する。
【００３２】
更に、ポータルサイトコンピュータ２は、後述する印刷コンテンツ生成処理（図３７参照）を実行して情報提供事業者コンピュータ４からのコンテンツ更新履歴の照合及びコンテンツダウンロード処理、利用予約情報受付処理部２Ｄで設定された配信コンテンツ及び広告の利用内容に基づく印刷コンテンツの生成処理、携帯端末３に対する利用料金通知処理等を実行する印刷コンテンツ生成処理部２Ｅと、利用予約情報受付処理部２Ｄが利用する利用予約情報ファイル２Ｆ（図９参照）及び印刷サービス単価ファイル２Ｇ（図９参照）と、印刷コンテンツ生成処理部２Ｅが利用する印刷書式ファイル２Ｈ（図１０参照）及びコンテンツ履歴ファイル２Ｉ（図１０参照）とを有する。
【００３３】
また、ポータルサイトコンピュータ２は、後述する利用予約情報印刷処理（図４１参照）を実行してプリントステーション６からの利用予約情報要求に応じた利用予約情報の送信処理、利用者履歴、コンテンツ利用履歴、及び広告掲載履歴の各更新処理等を行う利用予約情報印刷処理部２Ｊと、この利用予約情報印刷処理部２Ｊが利用する利用者履歴ファイル２Ｋ（図１１参照）、コンテンツ利用履歴ファイル２Ｌ（図１２参照）、及び広告掲載履歴ファイルと、広告コンテンツ配信処理を実行して広告サイト事業者コンピュータ５からの広告配信要求に応じて広告コンテンツを受信し、この広告コンテンツに設定された利用条件に基づいて配信地域や広告掲載条件等を判別して広告コンテンツの配信を行う広告コンテンツ配信処理部２Ｎと、この広告コンテンツ配信処理部２Ｎが利用する広告コンテンツファイル２Ｏとを有する。
【００３４】
次いで、図１に示したプリントサービスシステム１００を構成するポータルサイトコンピュータ２、携帯端末３、情報提供事業者コンピュータ４、広告サイト事業者コンピュータ５、及びプリントステーション６の各内部構成について以下に説明する。
【００３５】
ポータルサイトコンピュータ２は、図５に示すブロック図のように、ＣＰＵ２１、表示部２２、入力部２３、インターネット伝送制御部２４、ＲＡＭ２５、記憶装置２６、記憶媒体２７、及び専用回線伝送制御部２８により構成され、記憶媒体２７を除く各部はバス２９に接続されている。
【００３６】
このポータルサイトコンピュータ２は、インターネットＳに接続された情報提供事業者コンピュータ４、及び広告サイト事業者コンピュータ５により提供されるプリントサービスの内容を携帯端末３に示すため、例えば、メニュー形式のポータルサイトページを設定して、通信事業者１を介してアクセスされた携帯端末３に対して、そのプリントサービス用ポータルサイトページを表示させ、携帯端末３からプリントサービスの要求内容（コンテンツ）を受け付けて、その印刷予約確認用のワンタイムパスワードを発行する等のプリントサービスに係るポータルサイト機能を有する。
【００３７】
すなわち、ポータルサイトコンピュータ２は、上記図４において制御機能の概要で説明したように、利用会員登録処理部２Ａと、ユーザ認証処理部２Ｃと、利用予約情報受付処理部２Ｄと、印刷コンテンツ生成処理部２Ｅと、利用予約情報印刷処理部２Ｊと、広告コンテンツ配信処理部２Ｎとを有している。これらの制御機能は、ポータルサイトコンピュータ２内の主にＣＰＵ２１において実行される以下のプログラム処理により実現される。
【００３８】
ＣＰＵ（Central Processing Unit ）２１は、通信事業者１を介してアクセスされた携帯端末３に対してプリントサービス用の利用会員登録機能を提供するため、後述する利用会員登録処理（図１５、１６参照）を実行する。
【００３９】
この利用会員登録処理において、ＣＰＵ２１は、携帯端末３からのアクセス要求に対して送信したメニュー画面から会員登録メニューが選択されると、会員登録用画面を送信し、更に会員登録用画面から新規登録が選択された場合は会員情報の新規登録処理を行い、登録情報の修正が選択された場合は該当する登録情報を読み出して指示内容に応じて修正を行う。
【００４０】
なお、この利用会員登録処理において、ＣＰＵ２１は、新規登録ユーザに対してユーザ仮登録を行って当該ユーザの登録状態フラグを“１（仮登録済み）”にセットし、利用規約をプリントステーション６により印刷することと、その利用規約に同意することを促す電子メールを作成して、当該新規登録ユーザの携帯端末３に送信する。
【００４１】
そして、ＣＰＵ２１は、利用規約の印刷が未処理の仮登録ユーザに対して後述する利用規約印刷催促処理（図２３参照）を実行し、登録状態フラグが“１（仮登録済み）”にセットされたユーザの入会登録後の経過日数に応じて、該当する仮登録ユーザに対して利用規約を印刷催促する電子メールの送信や、登録削除を通知する電子メールの送信を行う。
【００４２】
また、ＣＰＵ２１は、仮登録ユーザによるプリントステーション６からの利用規約印刷要求に対して後述する利用規約印刷処理（図２７参照）を実行し、プリントステーション６からユーザのＩＤとパスワードを受信して認証確認した後、プリントステーション６からの利用規約の印刷完了通知を受信して、利用規約印刷日を登録するとともに、当該ユーザの登録状態フラグを“２（規約印刷済み）”にセットし、利用規約の同意確認を促す電子メールを携帯端末３に送信する。
【００４３】
さらに、ＣＰＵ２１は、利用規約が印刷済みで同意メールが未受信の仮登録ユーザに対して後述する利用規約同意催促処理（図２８参照）を実行し、登録状態フラグが“２（規約印刷済み）”にセットされたユーザの利用規約印刷後の経過日数に応じて、該当する仮登録ユーザに対して利用規約の同意を催促する電子メールの送信や、未同意への対応として登録削除を通知する電子メールの送信を行う。
【００４４】
この利用規約同意催促処理により、携帯端末３から送信される同意通知に応じて、ＣＰＵ２１は、後述する利用会員の本登録処理（図２９参照）を実行し、仮登録ユーザからの同意メール受信により、当該ユーザの登録状態フラグを“３（本登録済み）”にセットし、当該ユーザの入会ポイントの加算、及び入会ポイント案内メールの送信や、紹介者宛の電子メールの作成と送信を行う。
【００４５】
また、ＣＰＵ２１は、情報提供事業者コンピュータ４からのプリントサービスの利用予約要求に対して後述するユーザ認証処理（図３３参照）を実行する。
【００４６】
このユーザ認証処理において、ＣＰＵ２１は、情報提供事業者コンピュータ４からリンクパラメータを取得し、そのリンクパラメータにユーザ予約ＩＤ及び携帯ユーザＩＤが設定されていれば利用会員ファイルにより認証処理し、ユーザ予約ＩＤ及び携帯ユーザＩＤが設定されていなければ、通信事業者１から携帯ユーザＩＤを取得して認証処理した後、利用会員ファイルからユーザ予約ＩＤを取得して利用コンテンツのリンク先メニュー情報を携帯端末３に送信し、携帯端末３で選択されたコンテンツサイトへユーザ予約ＩＤをパラメータとしてリンクさせる。
【００４７】
また、ＣＰＵ２１は、上記ユーザ認証処理において取得されたリンクパラメータに基づいて後述する利用予約情報受付処理（図３５、３６参照）を実行する。
【００４８】
この利用予約情報受付処理において、ＣＰＵ２１は、取得したリンクパラメータにに基づいて配信コンテンツ及び広告の利用内容の設定処理、利用予約情報の更新処理等を実行する。
【００４９】
また、ＣＰＵ２１は、上記利用予約情報受付処理において更新された利用予約情報に基づいて後述する印刷コンテンツ生成処理（図３７参照）を実行する。
【００５０】
この印刷コンテンツ生成処理において、ＣＰＵ２１は、更新された利用予約情報に基づいて情報提供事業者コンピュータ４からのコンテンツ更新履歴の照合及びコンテンツダウンロード処理、利用予約情報受付処理で設定された配信コンテンツ及び広告の利用内容に基づく印刷コンテンツの生成処理、携帯端末３に対する利用料金通知処理等を実行する。
【００５１】
また、ＣＰＵ２１は、プリントステーション６からの利用予約情報要求に応じて後述する利用予約情報印刷処理（図４１参照）を実行する。
【００５２】
この利用予約情報印刷処理において、ＣＰＵ２１は、プリントステーション６からの利用予約情報要求に応じた利用予約情報の送信処理、利用者履歴、コンテンツ利用履歴、及び広告掲載履歴の各更新処理等を実行する。
【００５３】
また、ＣＰＵ２１は、広告サイト事業者コンピュータ５からの広告配信要求に応じて広告コンテンツ配信処理を実行する。
【００５４】
この広告コンテンツ配信処理において、ＣＰＵ２１は、広告サイト事業者コンピュータ５からの広告配信要求に応じて広告コンテンツを受信し、この広告コンテンツに設定された利用条件に基づいて配信地域や広告掲載条件等を判別して広告コンテンツの配信を行う。
【００５５】
さらに、ＣＰＵ２１は、プリントサービスの未利用ユーザに対して後述する利用促進処理（図３０参照）を実行し、利用予約情報ファイルの最終印刷日からの経過日数に応じて、該当するユーザに対して利用促進を促す電子メールを送信し、促進メールフラグを“１（送信済み）”にセットする。
【００５６】
また、ＣＰＵ２１は、携帯端末ユーザからの利用予約内容の変更・削除要求に対して後述する予約変更・削除処理（図３９参照）を実行する。
【００５７】
この予約変更・削除処理において、ＣＰＵ２１は、携帯端末３から予約変更ページにアクセスされ、受信したユーザＩＤとパスワードにより当該ユーザを認証すると、予約変更・削除ページと当該ユーザの利用予約情報を携帯端末３に送信し、利用予約の変更内容や削除指示を受信して、その利用予約の変更・削除を確認する電子メールを携帯端末３に送信する。
【００５８】
さらに、ＣＰＵ２１は、利用予約後に未印刷のユーザに対して後述する予約印刷催促処理（図４０参照）を実行し、利用予約情報ファイル２Ｆ（図９（Ａ）参照）内の印刷完了日時が記憶されていないユーザの予約登録日時からの経過日数に応じて、印刷を催促する電子メールや、利用予約情報ファイル、コンテンツ履歴ファイル、及び印刷書式ファイルの削除を確認する電子メールを送信する。
【００５９】
表示部２２は、ＣＲＴ（Cathode Ray Tube）や、液晶表示装置等により構成され、ＣＰＵ２１から入力される表示データに基づいて画面表示を行う。
【００６０】
入力部２３は、カーソルキー、数字入力キー及び各種機能キー等を備えたキーボードと、ポインティングデバイスであるマウスとを備え、キーボードで押下されたキーの押下信号をＣＰＵ２１に出力するとともに、マウスによる操作信号をＣＰＵ２１に出力する。
【００６１】
インターネット伝送制御部２４は、モデム（MOdulator/DEModulator ）、ターミナルアダプタ（Terminal Adapter）、またはルーター等によって構成され、インターネットＳに接続される複数の情報提供事業者コンピュータ４、情報提供事業者コンピュータ５、及び複数のプリントステーション６のそれぞれとの通信を行うための通信制御を行う。
【００６２】
ＲＡＭ（Random Access Memory）２５は、ＣＰＵ２１により実行されるプログラムや各種アプリケーションプログラムを格納するプログラム格納エリアと、入力指示、入力データ及び処理結果等を一時格納するワークエリアを有する。
【００６３】
記憶装置２６は、プログラムやデータ等が予め記憶されている記憶媒体２７を有しており、この記憶媒体２７は磁気的、光学的記録媒体、若しくは半導体メモリで構成されている。この記憶媒体２７は記憶装置２６に固定的に設けたもの、若しくは着脱自在に装着するものであり、この記憶媒体２７にはポータルサイトコンピュータ２に対応する各種アプリケーションプログラム、利用会員登録処理プログラム、利用規約印刷催促処理プログラム、利用規約同意催促処理プログラム、本登録処理プログラム、利用規約印刷処理プログラム、ユーザ認証処理プログラム、利用予約情報受付処理プログラム、印刷コンテンツ生成処理プログラム、利用予約情報印刷処理プログラム、広告コンテンツ配信処理プログラム、利用促進処理プログラム、予約変更・削除処理プログラム、予約印刷催促処理プログラム、及び各処理プログラムで処理されたデータ等を記憶する。
【００６４】
また、この記憶媒体２７に記憶するプログラム、データ等は、その一部若しくは全部をサーバやクライアント等の他の機器からネットワーク回線等の伝送媒体を介してインターネット伝送制御部２４から受信して記憶する構成にしてもよく、さらに、記憶媒体２７はネットワーク上に構築されたサーバの記憶媒体であってもよい。さらに、前記プログラムをネットワーク回線等の伝送媒体を介してサーバやクライアントへ伝送してこれらの機器にインストールするように構成してもよい。
【００６５】
また、記憶装置２６は、プリントサービスに係る各種メモリエリアを有し、図４に示すように、利用会員ファイル２Ｂ、利用予約情報ファイル２Ｆ、印刷サービス単価ファイル２Ｇ、印刷書式ファイル２Ｈ、コンテンツ履歴ファイル２Ｉ、利用者履歴ファイル２Ｋ、コンテンツ利用履歴ファイル２Ｌ、広告掲載履歴ファイル２Ｍ、及び広告コンテンツファイル２Ｏを有する。
【００６６】
利用会員ファイル２Ｂは、プリントサービスを利用する携帯端末３のユーザ毎に利用会員情報を記憶し、その記憶項目として、図８に示すように、利用会員コード、ユーザ予約ＩＤ、携帯ユーザＩＤ、ユーザＩＤ（携帯電話番号）、パスワード、氏名、性別、生年月日、郵便番号、住所、Ｅ−Ｍａｉｌアドレス、職業区分、入会動機区分、紹介者携帯番号、入会登録日、入会クーポン金額、紹介クーポン金額、広告クーポン金額、調査クーポン金額、利用クーポン残高、予約印刷サービス料金、予約情報サービス料金、利用時硬貨投入金額、次回繰越クーポン金額、登録状態フラグ、メール送信フラグ、利用規約印刷日、最終印刷日時、利用促進メールの送信フラグを設定する。
【００６７】
ここで、入会クーポン金額は、入会時にポータルサイトコンピュータ２から利用会員へのサービスとして自動的に設定されるものであり、紹介クーポン金額は、他の利用会員を紹介した時にポータルサイトコンピュータ２側から紹介会員へのサービスとして自動的に加算されるクーポン金額である。
【００６８】
また、広告クーポン金額は、プリントサービスを受けるコンテンツに広告コンテンツが印刷される場合に、ポータルサイトコンピュータ２側から利用会員へのサービスとして自動的に加算されるクーポン金額であり、調査クーポン金額は、アンケート調査に参加した場合に、ポータルサイトコンピュータ２側から利用会員へのサービスとして自動的に加算されるクーポン金額である。
【００６９】
また、利用クーポン残高は、上記入会クーポン金額、紹介クーポン金額、広告クーポン金額、及び調査クーポン金額の合計値を、プリントサービス時に利用可能なクーポン金額を示すものである。
【００７０】
予約印刷サービス料金は、利用会員から受け付けたプリントサービスの内容に応じて算出される利用料金のうち印刷費用部分を示すものであり、予約情報サービス料金は、利用会員から受け付けたプリントサービスの内容に応じて算出される利用料金のうち情報提供費用部分を示すものである。これらの料金は、プリントサービスの利用予約時に、利用会員の携帯端末３に送信されて表示される。
【００７１】
利用時硬貨投入金額は、利用会員から受け付けたプリントサービスの内容に応じて算出される利用料金（予約印刷サービス料金＋予約情報サービス料金）から利用クーポン残高を差し引いた不足分の金額を１００円単位で算出したものである。この利用時硬貨投入金額は、プリントサービスの利用予約時に、利用会員の携帯端末３に送信されて表示される。
【００７２】
登録状態フラグは、上記利用会員登録処理等において利用される利用会員毎に登録状態を示すフラグであり、“０（未処理）”、“１（仮登録済み）”、“２（規約印刷済み）”、“３（本登録済み）”、“８（仮登録削除）”、“９（本登録削除）”を設定可能とする。
【００７３】
メール送信フラグは、上記利用規約印刷催促処理や規約同意催促処理において利用されるメールの送信状態を示すフラグであり、利用規約印刷催促メールや規約同意催促メールを送信したときに“１（送信済み）”にセットされ、利用規約の印刷完了通知や規約同意メールを受信したときに“０（未送信）”にセットされる。
【００７４】
利用規約印刷日は、上記利用規約印刷処理において利用会員毎に利用規約の印刷日時を記憶するためのものであり、プリントステーション６から利用規約の印刷完了通知を受信したときの日時が記憶される。
【００７５】
最終印刷日時は、利用会員毎に利用予約印刷時の最終日時を記憶し、上記利用促進処理において未利用期間を確認するときに利用される。
【００７６】
利用促進メールの送信フラグは、上記利用促進処理において利用会員毎に利用促進メールを送信したか否かを示すフラグであり、“０（未送信）”と“１（送信済み）”とを設定可能とする。
【００７７】
利用予約情報ファイル２Ｆは、プリントサービスの利用予約情報を記憶し、その記憶項目として、図９（Ａ）に示すように、利用会員コード、情報企業ＩＤ、コンテンツＵＲＬ、コンテンツ種類区分、コンテンツ名称、情報サービス料金、印刷サービス料金、印刷メディア（用紙）、印刷面数、印刷枚数、印刷部数、連続印刷指定、広告印刷指定、予約登録日時、印刷完了日時を設定する。
【００７８】
印刷サービス単価ファイル２Ｇは、プリントサービス時の印刷サービス単価情報を記憶し、その記憶項目として、図９（Ｂ）に示すように、印刷メディアコード、印刷メディア（用紙）、印刷可能面数、１枚印刷サービス単価、サービス単価変更日時、変更後サービス単価、単価登録日時を設定する。
【００７９】
印刷書式ファイル２Ｈは、プリントサービス時の印刷書式情報を記憶し、その記憶項目として、図１０（Ａ）に示すように、利用会員コード、印刷メディアコード、印刷メディア（用紙）、印刷枚数、印刷面数、現在の頁最終面数、印刷完了日時を設定する。
【００８０】
コンテンツ履歴ファイル２Ｉは、プリントサービスで提供するコンテンツの履歴情報を記憶し、その記憶項目として、図１０（Ｂ）に示すように、コンテンツ履歴ＵＲＬ、コンテンツ種類区分、コンテンツ名称、情報サービス料金、標準メディアコード指定、標準印刷面数、コンテンツ利用年齢制限、ステーション設置店利用制限、コンテンツ更新日時、コンテンツ有効期限日時を設定する。
【００８１】
利用者履歴ファイル２Ｋは、プリントサービスを利用した携帯端末３ユーザ毎に利用履歴情報を記憶し、その記憶項目として、図１１に示すように、利用者会員コード、利用年月日、利用日時、入会クーポン料金、紹介クーポン料金、広告クーポン料金、調査クーポン料金、利用クーポン残高、予約印刷サービス料金、予約情報サービス料金、利用時硬貨投入金額、次回繰越クーポン金額、利用ステーションコードを設定する。
【００８２】
コンテンツ利用履歴ファイル２Ｌは、プリントサービス用のコンテンツを提供する情報提供事業者コンピュータ４毎に利用履歴情報を記憶し、その記憶項目として、図１２に示すように、情報企業ＩＤ、利用年月日、利用日時、コンテンツＵＲＬ、コンテンツ種類区分、コンテンツ名称、情報サービス料金、印刷サービス料金、印刷メディア（用紙）、印刷面数、印刷枚数、印刷部数、連続印刷指定、広告印刷指定、利用ステーションコード、利用者会員コードを設定する。
【００８３】
広告掲載履歴ファイル２Ｍは、プリントサービス用の広告コンテンツを提供する広告サイト事業者コンピュータ５毎に利用履歴情報を記憶し、その記憶項目として、例えば、広告企業ＩＤ、広告掲載年月日、広告掲載日時、掲載広告コンテンツＵＲＬ、広告コンテンツ種類区分、広告コンテンツ名称、広告掲載サービス料金、広告クーポン金額、広告印刷メディア（用紙）、広告掲載面数、広告掲載部数、利用ステーションコード、利用者会員コードを設定する。
【００８４】
広告コンテンツファイル２Ｏは、プリントサービス用の広告コンテンツに関する情報を記憶し、その記憶項目として、例えば、広告企業ＩＤ、掲載広告コンテンツＵＲＬ、広告コンテンツ種類区分、広告コンテンツ名称、広告掲載サービス料金、広告クーポン金額、広告印刷メディア（用紙）、広告掲載面数、広告掲載制限部数、広告掲載発行残数、広告掲載開始日時、広告掲載終了日時、広告掲載地域区分１、広告掲載地域区分２、広告掲載利用者性別、広告掲載利用者年齢下限、広告掲載利用者年齢上限、広告掲載利用者誕生日、広告掲載利用者職種区分１、広告掲載利用者職種区分２、広告掲載利用者コンテンツ１、広告掲載利用者コンテンツ２、広告掲載制限地域区分１、広告掲載制限地域区分２、広告掲載制限店舗区分１、広告掲載制限店舗区分２、広告掲載制限コンテンツ種別１、広告掲載制限コンテンツ種別２、広告掲載制限コンテンツ企業１、広告掲載制限コンテンツ企業２を設定する。
【００８５】
次いで、図１の携帯端末３の構成を図６に示すブロック図に基づいて説明する。図６において、携帯端末３は、ＣＰＵ３１、表示部３２、入力部３３、無線通信制御部３４、ＲＡＭ３５、記憶装置３６、及び記憶媒体３７により構成されており、記憶媒体３７を除く各部はバス３８に接続されている。
【００８６】
この携帯端末３は、携帯電話機能も内蔵しており、通信ネットワークＮから通信事業者１を介してポータルサイトコンピュータ２にアクセスしてプリントサービスを利用することができる。
【００８７】
すなわち、携帯端末３は、上記図２において制御機能の概要で説明したように、利用会員登録処理部３Ａと、利用予約処理部３Ｃとを有している。これらの制御機能は、携帯端末３内の主にＣＰＵ３１において実行される以下のプログラム処理により実現される。
【００８８】
ＣＰＵ３１は、記憶装置３６内に格納されているシステムプログラム及び当該システムに対応する各種アプリケーションプログラムの中から指定されたアプリケーションプログラムをＲＡＭ３５内の図示しないプログラム格納領域に展開し、入力部３３から入力される各種指示あるいはデータをＲＡＭ３５内に一時的に格納し、この入力指示及び入力データに応じて記憶装置３６内に格納されたアプリケーションプログラムに従って各種処理を実行し、その処理結果をＲＡＭ３５内に格納するとともに、表示部３２に表示する。そして、ＲＡＭ３５に格納した処理結果を入力部３３から入力指示される記憶装置３６内の保存先に保存する。
【００８９】
また、ＣＰＵ３１は、無線通信制御部３４により無線接続された通信ネットワークＮから通信事業者１を介して、インターネットＳ上のポータルサイトコンピュータ２にアクセスしてプリントサービスを利用する際に、後述する利用会員登録処理（図１５参照）を実行する。
【００９０】
この利用会員登録処理において、ＣＰＵ３１は、インターネットＳ上でポータルサイトコンピュータ２に設定されたプリントサービスサイトに接続し、そのメニュー画面をポータルサイトコンピュータ２から受信して表示部３２に表示し、メニュー画面からメニュー項目が選択されると、選択された指示内容をポータルサイトコンピュータ２に送信して、ポータルサイトコンピュータ２から会員登録画面を受信する。
【００９１】
会員登録画面において「修正モード」が選択された場合、ＣＰＵ３１は、入力されたユーザＩＤとパスワードのポータルサイトコンピュータ２への送信によりユーザ認証確認が行われた後、登録済みの会員情報を含む会員情報登録画面を受信して、登録済みの会員情報の修正入力を行わせる。
【００９２】
また、会員登録画面において「新規モード」が選択された場合、ＣＰＵ３１は、入力されたユーザＩＤ（携帯電話番号）のポータルサイトコンピュータ２への送信により新規ユーザ登録が行われた後、会員情報登録画面を受信して会員情報を入力させる。
【００９３】
また、ＣＰＵ３１は、利用会員登録処理後に、ポータルサイトコンピュータ２から同意確認メールを受信した際に後述する本登録処理（図１８参照）を実行し、ポータルサイトコンピュータ２から同意確認メールを受信すると、仮登録時に設定したユーザＩＤとパスワードを入力して、同意メールとともにポータルサイトコンピュータに送信する。
【００９４】
さらに、ＣＰＵ３１は、利用会員登録終了後にプリントサービスを予約する場合は、後述する利用予約登録処理（図３１、３２参照）を実行する。
【００９５】
この利用予約登録処理において、ＣＰＵ３１は、無線通信制御部３４により無線接続された通信ネットワークＮから通信事業者１を介して、インターネットＳ上のポータルサイトコンピュータ２のポータルサイト、情報提供事業者コンピュータ４のオフィシャルサイト、あるいは情報提供事業者コンピュータ４の一般サイトにアクセスしてプリントサービスの利用予約を行う。
【００９６】
ポータルサイトコンピュータ２のポータルサイトにアクセスした場合、ＣＰＵ３１は、ポータルサイトコンピュータ２から利用予約情報メニューを受信して表示し、ユーザ認証を行い、コンテンツを選択させた後、プリントサービス利用内容を受信して表示して印刷指示を確認後、更に選択したコンテンツの利用予約確認画面を受信して表示し、印刷予約内容（印刷部数、印刷メディア（用紙）、連続印刷、広告挿入印刷等）を入力予約させ、入力予約された印刷予約内容を表示する。
【００９７】
また、情報提供事業者コンピュータ４のオフィシャルサイトにアクセスした場合、そのオフィシャルサイトが携帯端末３に付与した固有のユーザＩＤが自動的に認識されるため、ＣＰＵ３１は、情報提供事業者コンピュータ４からオフィシャルサイト情報メニュー内容を受信して表示し、印刷したい情報を選択させた後、プリントサービス利用内容を受信して表示して印刷指示を確認後、ポータルサイトコンピュータ２からユーザ認証画面を受信して表示し、利用会員の登録チェックを実行する。利用会員の登録が確認されれば、ＣＰＵ３１は、上記と同様にコンテンツ利用予約処理に移行し、利用会員の登録が確認されなければ、新規会員登録が必要なため上記利用会員登録処理に移行する。
【００９８】
また、情報提供事業者コンピュータ４の一般サイトにアクセスした場合、ＣＰＵ３１は、情報提供事業者コンピュータ４から一般サイト情報メニュー内容を受信して表示し、印刷したい情報を選択させた後、プリントサービス利用内容を受信して表示して印刷指示を確認後、ポータルサイトコンピュータ２からユーザ認証画面を受信して表示し、利用会員の登録チェックを実行する。利用会員の登録が確認されれば、ＣＰＵ３１は、上記と同様にコンテンツ利用予約処理に移行し、利用会員の登録が確認されなければ、新規会員登録が必要なため上記利用会員登録処理に移行する。
【００９９】
さらに、ＣＰＵ３１は、上記利用予約登録処理において登録した利用予約内容を変更あるいは削除する際に、後述する利用予約変更・削除処理（図３８参照）を実行する。
【０１００】
この利用予約変更・削除処理において、ＣＰＵ３１は、ポータルサイトコンピュータ２のポータルサイトにアクセスしてメニュー画面を受信表示し、予約の変更・削除メニューが選択されると、入力されたユーザＩＤとパスワードをポータルサイトコンピュータ２に送信してユーザ認証確認後、選択されたコンテンツの利用予約確認画面をポータルサイトコンピュータ２から受信して表示する。
【０１０１】
そして、ＣＰＵ３１は、利用予約確認画面において「取消」メニューが選択されると、選択コンテンツの取消通知をポータルサイトコンピュータ２に送信し、「利用」メニューが選択されると、印刷部数、印刷メディア、多面メディアの連続印刷、多面メディアの広告挿入印刷の有無、印刷方式等を変更可能とし、変更された印刷予約内容をポータルサイトコンピュータ２に送信する。
【０１０２】
表示部３２は、液晶表示パネルなどにより構成され、ＣＰＵ３１から入力される表示データに基づいて画面表示を行う。
【０１０３】
入力部３３は、カーソルキー、数字入力キー及び各種機能キー等を備えたキーボードと、ポインティングデバイスであるマウスとを備え、キーボードで押下されたキーの押下信号をＣＰＵ３１に出力するとともに、マウスによる操作信号をＣＰＵ３１に出力する。
【０１０４】
無線通信制御部３４は、無線モデムなどによって構成され、通信ネットワークＮに接続される通信事業者１との無線通信を行うための通信制御を行う。
【０１０５】
ＲＡＭ３５は、ＣＰＵ３１により実行されるプログラムや各種アプリケーションプログラムを格納するプログラム格納エリアと、入力指示、入力データ及び処理結果等を一時格納するワークエリアを有する。
【０１０６】
記憶装置３６は、プログラムやデータ等が予め記憶されている記憶媒体３７を有しており、この記憶媒体３７は磁気的、光学的記録媒体、若しくは半導体メモリで構成されている。この記憶媒体３７は記憶装置３６に固定的に設けたもの、若しくは着脱自在に装着するものであり、この記憶媒体３７には携帯端末３に対応する各種アプリケーションプログラム、利用会員登録処理プログラム、本登録処理プログラム、利用予約登録処理プログラム、利用予約変更・削除処理プログラム、及び各処理プログラムで処理されたデータ等を記憶する。
【０１０７】
また、この記憶媒体３７に記憶するプログラム、データ等は、その一部若しくは全部をサーバやクライアント等の他の機器からネットワーク回線等の伝送媒体を介して無線通信制御部３４から受信して記憶する構成にしてもよく、さらに、記憶媒体３７はネットワーク上に構築されたサーバの記憶媒体であってもよい。さらに、前記プログラムをネットワーク回線等の伝送媒体を介してサーバやクライアントへ伝送してこれらの機器にインストールするように構成してもよい。
【０１０８】
次いで、図１のプリントステーション６の構成を図７に示すブロック図に基づいて説明する。このプリントステーション６は、店舗などに設置され、携帯端末３の利用者にプリントサービスを提供するとともに、そのプリントサービス用のプリペイド伝票を発行する機能と、広告印刷によるサービスクーポンを提供する機能等を有する。
【０１０９】
図７において、プリントステーション６は、ＣＰＵ６１、表示部６２、入力部６３、インターネット伝送制御部６４、ＲＡＭ６５、記憶装置６６、記憶媒体６７、印刷装置６８、及び硬貨投入装置６９により構成されており、記憶媒体６７を除く各部はバス７０に接続されている。
【０１１０】
ＣＰＵ６１は、上記プリントサービスの印刷予約をした携帯端末３の利用者に対してプリントサービスを提供するため後述する利用予約情報印刷処理（図４２参照）を実行する。
【０１１１】
この利用予約情報印刷処理において、ＣＰＵ６１は、プリントサービスメニューを表示し、利用予約印刷メニューが選択されると、ユーザＩＤ（携帯電話番号）とパスワードを入力させ、入力されたユーザＩＤ（携帯電話番号）とパスワードをポータルサイトコンピュータ２に送信して、利用予約ユーザの認証処理を実行する。
【０１１２】
利用予約ユーザが認証されると、ＣＰＵ６１は、ポータルサイトコンピュータ２から利用予約情報を取り込んで表示し、今回のプリントサービスに対する利用クーポン残高が不足している場合、利用に必要な購入金額を表示して硬貨投入を待機する。
【０１１３】
購入金額に対応する硬貨が硬貨投入装置６９に投入されたことを確認すると、ＣＰＵ６１は、ポータルサイトコンピュータ２から利用予約情報のコンテンツ履歴ファイルと印刷書式ファイルを取り込み、広告掲載指定の有無を確認する。広告掲載指定が有れば、ＣＰＵ６１は、更にポータルサイトコンピュータ２から更に広告コンテンツを受信し、印刷書式ファイルに従ってコンテンツと広告コンテンツの印刷データを生成して、印刷装置６８により指定用紙に印刷する。そして、ＣＰＵ６１は、印刷完了を確認すると、印刷した広告クーポン金額合計を表示する。
【０１１４】
また、ＣＰＵ６１は、会員登録時に後述する利用規約印刷処理（図２４参照）を実行し、利用規約印刷メニューが選択されると、ユーザＩＤ（携帯電話番号）とパスワードを入力させ、入力されたユーザＩＤ（携帯電話番号）とパスワードをポータルサイトコンピュータ２に送信して認証されると、利用規約の印刷し、印刷完了通知をポータルサイトコンピュータ２に送信する。
【０１１５】
表示部６２は、ＣＲＴや、液晶表示装置等により構成され、ＣＰＵ６１から入力される表示データに基づいて画面表示を行う。
【０１１６】
入力部６３は、表示部６２の表示画面と一体的に構成されたタッチパネル、数字入力キー及び各種機能キー等を備えたキーボードなどを備え、タッチパネルで押下された位置の座標信号をＣＰＵ６１に出力するとともに、キーボードのキー操作信号をＣＰＵ６１に出力する。
【０１１７】
インターネット伝送制御部６４は、モデム、ターミナルアダプタ、またはルーター等によって構成され、インターネットＳに接続されるポータルサイトコンピュータ２、情報提供事業者コンピュータ４、及び広告サイト事業者コンピュータ５のそれぞれとの間で通信を行うための通信制御を行う。
【０１１８】
ＲＡＭ６５は、ＣＰＵ６１により実行されるプログラムや各種アプリケーションプログラムを格納するプログラム格納エリアと、入力指示、入力データ及び処理結果等を一時格納するワークエリアを有する。
【０１１９】
記憶装置６６は、プログラムやデータ等が予め記憶されている記憶媒体６７を有しており、この記憶媒体６７は磁気的、光学的記録媒体、若しくは半導体メモリで構成されている。この記憶媒体６７は記憶装置６６に固定的に設けたもの、若しくは着脱自在に装着するものであり、この記憶媒体６７にはプリントステーション６に対応する利用予約情報印刷処理プログラム、利用規約印刷処理プログラム、及び各処理プログラムで処理されたデータ等を記憶する。
【０１２０】
また、記憶装置６６は、プリントサービスに係る各種メモリエリアを有し、図４に示すように、印刷書式ファイル６Ｂ、コンテンツファイル６Ｃ、広告コンテンツファイル６Ｄ、及び利用予約情報ファイル６Ｅを有する。
【０１２１】
また、この記憶媒体６７に記憶するプログラム、データ等は、その一部若しくは全部をサーバやクライアント等の他の機器からネットワーク回線等の伝送媒体を介してインターネット伝送制御部６４から受信して記憶する構成にしてもよく、さらに、記憶媒体６７はネットワーク上に構築されたサーバの記憶媒体であってもよい。さらに、前記プログラムをネットワーク回線等の伝送媒体を介してサーバやクライアントへ伝送してこれらの機器にインストールするように構成してもよい。
【０１２２】
印刷装置６８は、各種印刷用紙（普通紙（Ａ４，Ａ３）、システム手帳（Ｂ６）、長尺紙、シール（２×４）、トレーディングカード、はがき、プリペイド伝票用紙など）を利用可で、カラー印刷モードとモノクロ印刷モードとを備え、ＣＰＵ６１において実行される利用予約情報印刷処理に際して、ＣＰＵ６１から入力される印刷データを印刷媒体に印刷して排出する。
【０１２３】
また、印刷装置６１は、ＣＰＵ６１において実行される利用予約情報印刷処理により、ＣＰＵ６１から入力される広告印刷データを印刷媒体の空白ページに印刷する。
【０１２４】
硬貨投入装置６９は、ＣＰＵ６１において実行される利用予約情報印刷処理により、プリントサービスの利用に必要な購入金額が表示された際に、利用者により投入される硬貨（例えば、１００円硬貨）を識別してカウントし、そのカウント値をＣＰＵ６１に通知する機能を有する。
【０１２５】
なお、情報提供事業者コンピュータ４、及び広告サイト事業者コンピュータ５の各構成と機能については、図２と図３に示した概略構成で説明したため、その内部構成の図示と説明は省略する。
【０１２６】
次に、本実施の形態の動作を説明する。
まず、ポータルサイトコンピュータ２において毎日実行される全体処理について図１３に示すフローチャートに基づいて説明する。
【０１２７】
図１３において、ポータルサイトコンピュータ２のＣＰＵ２１は、利用会員ファイル２Ｂと利用予約情報ファイル２Ｆとに基づいて「ｄａｉｌｙ処理」を開始し（ステップＳ１）、利用会員ファイル２Ｂに記憶された各利用会員の登録状態フラグのセット内容を確認する（ステップＳ２）。
【０１２８】
登録状態フラグのセット内容が“１（仮登録済み）”である場合、ＣＰＵ２１は、仮登録後の利用規約が未印刷のユーザ処理である規約印刷催促処理に移行する（ステップＳ３）。また、登録状態フラグのセット内容が“２（規約印刷済み）”である場合、ＣＰＵ２１は、利用規約印刷後の未同意のユーザ処理である規約同意催促処理に移行する（ステップＳ４）。
【０１２９】
また、登録状態フラグのセット内容が“１，２”以外である場合、ＣＰＵ２１は、更に登録状態フラグのセット内容が“８（仮登録削除）”あるいは“９（本登録削除）”かを確認する（ステップＳ５）。
【０１３０】
登録状態フラグのセット内容が“８（仮登録削除）”である場合、ＣＰＵ２１は、利用会員ファイル２Ｂの利用規約印刷日の有無を確認し（ステップＳ６）、利用規約印刷日が有れば利用規約が印刷済みであるため、その印刷日から３０日経過したユーザを抽出し（ステップＳ７）、その抽出ユーザの仮登録データを削除する（ステップＳ９）。
【０１３１】
また、利用規約印刷日が無ければ利用規約が未印刷であるため、その仮登録日から３０日経過したユーザを抽出し（ステップＳ７）、その抽出ユーザの仮登録データを削除する（ステップＳ９）。
【０１３２】
登録状態フラグのセット内容が“９（本登録削除）”である場合、ＣＰＵ２１は、利用会員ファイル２Ｂの最終印刷日時から１２ヶ月経過したユーザを抽出し（ステップＳ１０）、その抽出ユーザの本登録データを削除する（ステップＳ１１）。
【０１３３】
登録状態フラグのセット内容が“１，２，８，９”のいずれでもない場合、ＣＰＵ２１は、登録状態フラグが“３（本登録済み）”で印刷未完了予約のユーザを抽出し（ステップＳ１２）、その抽出ユーザに対して利用予約後の印刷催促処理に移行する（ステップＳ１３）。また、該当するユーザが抽出できない場合は、本処理を終了する。
【０１３４】
次に、ポータルサイトコンピュータ２において、携帯端末３やプリントステーション６からのプリントサービスに関わる各種要求に応じて逐次処理される処理について図１４に示すフローチャートに基づいて説明する。
【０１３５】
図１４において、ポータルサイトコンピュータ２のＣＰＵ２１は、携帯端末３やプリントステーション６からのプリントサービスに関わる各種要求に応じて逐次処理を開始し（ステップＳ２１）、会員登録要求に関わる処理として、仮ユーザ登録と登録内容の変更処理（ステップＳ２２）、利用規約印刷処理（ステップＳ２３）、ユーザの本登録処理（ステップＳ２４）、及びメール処理（ステップＳ２５）を実行する。
【０１３６】
また、ＣＰＵ２１は、利用予約要求に関わる処理として、ユーザ認証処理（ステップＳ２６）、予約の処理（ステップＳ２７）、予約の変更・削除処理（ステップＳ２８）、及び予約の印刷処理（ステップＳ２９）を実行する。
【０１３７】
次に、携帯端末３において実行される利用会員登録処理について図１５に示すフローチャートに基づいて説明する。
【０１３８】
携帯端末３では、利用者からの指示によりポータルサイトへのアクセスが指示されると、ＣＰＵ３１は、無線通信制御部３４により無線接続された通信ネットワークＮから通信事業者１を介してポータルサイトコンピュータ２に接続して、ポータルサイトコンピュータ２からポータルサイトメニューを受信して表示部３２に表示し、そのポータルサイトメニューにあるプリントサービスサイトが選択されると、図１５の利用会員登録処理を開始する。
【０１３９】
図１５において、ＣＰＵ３１は、まず、ポータルサイトコンピュータ２に設定されたプリントサービスサイトに接続し（ステップＰ１）、ポータルサイトコンピュータ２からプリントサービスメニューを受信して、例えば、図１９（Ａ）に示すようなプリントサービスメニューを表示する（ステップＰ２）。
【０１４０】
次いで、ＣＰＵ３１は、表示したプリントサービスメニューにおいて選択されたメニュー項目が「１．利用会員の登録」であるか否かを判別し（ステップＰ３）、他のプリントサービスメニューが選択された場合、その選択された他の処理に移行し、「１．利用会員の登録」が選択された場合、その選択指示内容をポータルサイトコンピュータ２に送信する（ステップＰ４）。
【０１４１】
そして、ＣＰＵ３１は、ポータルサイトコンピュータ２から利用会員の登録メニューを受信して、例えば、図１９（Ｂ）に示すような利用会員の登録画面を表示する。この場合、メニュー項目として「１．利用会員の登録」と「２．登録情報の修正」が選択可能である。
【０１４２】
この利用会員の登録画面において選択されたメニュー項目の選択値「１」あるいは「２」を、ＣＰＵ３１はポータルサイトコンピュータ２に送信し、「２．登録情報の修正」が選択されたか否かを判別する（ステップＰ５）。
【０１４３】
「２．登録情報の修正」が選択された場合、ＣＰＵ３１は、ユーザＩＤ（携帯電話番号）とパスワードを入力させてポータルサイトコンピュータ２に送信し（ステップＰ６）、ポータルサイトコンピュータ２からユーザ認証確認を待ち（ステップＰ７）、ユーザ認証確認がＮＧである場合は、エラー表示を行って（ステップＰ８）、ステップＰ３に戻り、ユーザ認証確認がＯＫである場合は、ステップＰ９に移行する。
【０１４４】
ステップＰ９において、ＣＰＵ３１は、ポータルサイトコンピュータ２から会員登録情報を受信して、例えば、図１９（Ｅ）、（Ｆ）に示すような登録情報の修正画面を表示する。この場合、修正可能な項目として「パスワード、電子メールアドレス、氏名、性別、生年月日、郵便番号、住所、検索区分、入会動機」が対象となり、表示画面（Ｆ）への移動は、カーソル操作により行う。
【０１４５】
次いで、ＣＰＵ３１は、登録情報の修正画面においてユーザにより入力される変更項目の内容をポータルサイトコンピュータ２に送信し（ステップＰ１０）、入力された会員登録情報内容を表示画面に一覧表示するとともに、会員登録情報内容をポータルサイトコンピュータ２に送信して（ステップＰ１８）、本利用会員登録処理を終了する。
【０１４６】
また、ステップＰ５において「１．利用会員の登録」が選択された場合、ＣＰＵ３１は、ユーザＩＤ（携帯電話番号）を入力させてポータルサイトコンピュータ２に送信し（ステップＰ１１）、ポータルサイトコンピュータ２から登録済の有無の受信を待ち（ステップＰ１２）、登録済みであればエラー表示して（ステップＰ１３）、本利用会員登録処理を終了する。
【０１４７】
また、登録済みでなく新規の登録であれば、ＣＰＵ３１は、ポータルサイトコンピュータ２から会員情報登録画面を受信して、例えば、図１９（Ｃ）、（Ｄ）に示すような利用会員登録画面を表示し、パスワード、電子メールアドレス、氏名、性別、及び生年月日の表示と入力（ステップＰ１４〜Ｐ１６）、郵便番号、住所、職種区分、及び入会動機区分の入力と選択（ステップＰ１７）を行う。
【０１４８】
但し、パスワード入力時には、図１９（Ｃ）に示すように、「＊＊＊＊」が表示され、他者に見られないようにしている。
【０１４９】
以上のステップＰ１４〜ステップＰ１７の会員情報に関する入力が終了すると、ＣＰＵ３１は、入力された会員登録情報内容を表示画面に一覧表示し、会員登録情報内容をポータルサイトコンピュータ２に送信して（ステップＰ１８）、本利用会員登録処理を終了する。
【０１５０】
次に、上記携帯端末３による利用会員登録処理に応じて、ポータルサイトコンピュータ２内のＣＰＵ２１において実行される利用会員登録処理について図１６、１７に示すフローチャートに基づいて説明する。
【０１５１】
図１６において、まず、ポータルサイトコンピュータ２内のＣＰＵ２１は、携帯端末３からプリントサービスサイトにアクセスされると、プリントサービスメニュー画面（図１９（Ａ）参照）を送信して、携帯端末３から送信されるメニューの選択値を取得し（ステップＳ５０１）、その選択値が会員登録メニューかその他のメニューかを判別する（ステップＳ５０２）。
【０１５２】
その他のメニューであれば、ＣＰＵ２１は、その他の処理に移行し、会員登録メニューであれば、会員登録画面（図１９（Ｂ）参照）を携帯端末３に送信して、携帯端末３から送信されるメニューの選択値を取得し（ステップＳ５０３）、その選択値が修正モードか新規会員登録モードかを判別する（ステップＳ５０４）。
【０１５３】
修正モードである場合、ＣＰＵ２１は、携帯端末３から送信されるユーザＩＤ（携帯電話番号）とパスワードの各入力値を取得し（ステップＳ５０５）、その各入力値に基づいて利用会員ファイル２Ｂ（図８参照）に格納された利用会員データを参照してユーザ認証チェックを行う（ステップＳ５０６）。そのユーザ認証の結果がＮＧであれば（ステップＳ５０７）、ＣＰＵ２１は、携帯端末３にエラー表示内容を送信して（ステップＳ５０８）、ステップＳ５０２のメニュー選択値判別処理に戻る。
【０１５４】
また、そのユーザ認証の結果がＯＫであれば（ステップＳ５０７）、ＣＰＵ２１は、会員登録情報内容を携帯端末３に送信し（ステップＳ５０９）、携帯端末３から変更項目の内容を受信して（ステップＳ５１０）、その受信内容から登録情報が変更されたか否かを判別する（ステップＳ１１）。
【０１５５】
ＣＰＵ２１は、登録情報が変更されていなければ、本利用会員登録処理を終了し、登録情報が変更されていればステップＳ５２０に移行する。
【０１５６】
また、ステップＳ５０４において、新規会員登録モードが選択された場合、ＣＰＵ２１は、携帯端末３から送信されるユーザＩＤ（携帯電話番号）を取得し（ステップＳ５１２）、利用会員ファイル２Ｂ（図８参照）に対してユーザＩＤの登録チェックを行い（ステップＳ５１３）、ユーザＩＤが登録済みであるか否かを判別する（ステップＳ５１４）。
【０１５７】
ユーザＩＤが既存（登録済み）であれば、ＣＰＵ２１は、携帯端末３にエラー表示内容を送信し（ステップＳ２１５）、新規登録であれば、携帯端末３に会員登録情報画面（図１９（Ｃ）、（Ｄ）参照）を送信し（ステップＳ５１６）、携帯端末３から送信されるユーザが希望するパスワードを取得する（ステップＳ５１７）。
【０１５８】
続いて、ＣＰＵ２１は、携帯端末３から送信される電子メールアドレスを取得し（ステップＳ５１８）、更に携帯端末３から送信される各入力値（氏名、性別、生年月日、郵便番号、住所、職種区分、及び入会動機区分）を取得して（ステップＳ５１９）、ステップＳ５２０に移行する。
【０１５９】
ステップＳ５２０において、ＣＰＵ２１は、ステップＳ５１０で取得した登録情報の変更内容、あるいはステップＳ５１７〜ステップＳ５１９で取得した新規の登録情報により利用会員ファイル２Ｂを更新処理する。
【０１６０】
次いで、ＣＰＵ２１は、更新した登録情報に基づいて携帯端末３のユーザが既存会員か否かをチェックし（ステップＳ５２１）、既存会員であれば登録情報を変更を通知する電子メールを携帯端末３に送信して（ステップＳ５２２）、本利用会員登録処理を終了する。
【０１６１】
また、既存会員でなければ、ＣＰＵ２１は、取得した動機区分値が「既存会員からの紹介」であるか否かを判別し（ステップＳ５２３）、「既存会員からの紹介」であれば、携帯端末３から送信される既存会員のユーザＩＤ（電話番号）を取得し（ステップＳ５２４）、利用会員ファイル２Ｂ（図８参照）に既存会員のユーザＩＤが登録されているか否かをチェックして（ステップＳ５２５）、既存会員か否かをチェックする（ステップＳ５２６）。
【０１６２】
既存会員でなければ、ＣＰＵ２１は、ＮＧである旨を携帯端末３に送信して、ステップＳ５２３の動機区分値取得処理に戻り、また、ＯＫであれば、利用会員ファイル２Ｂから紹介者のメールアドレスを取得し（ステップＳ５２７）、その紹介者の利用クーポン残高に照会クーポンを加算して（ステップＳ５２８）、ステップＳ５２９に移行する。
【０１６３】
また、ステップＳ５２３において、取得した動機区分値が「既存会員からの紹介」でない場合、ＣＰＵ２１は、携帯端末３に取得した会員登録情報の内容を送信し（ステップＳ５２９）、利用会員ファイル２Ｂに入会登録日を登録する（ステップＳ５３０）。
【０１６４】
次いで、ＣＰＵ２１は、利用会員ファイル２Ｂ内の当該ユーザの登録状態フラグを“１（仮登録済み）”にセットし（ステップＳ５３１）、利用規約をプリントステーション６で印刷し、利用規約に同意するように促す入会者宛の電子メールを携帯端末３に送信して（ステップＳ５３２）、本利用会員登録処理を終了する。
このとき、携帯端末３に表示される会員仮登録後のメール受信画面の例を図２０（Ａ）に示す。
【０１６５】
次に、会員仮登録した携帯端末３のユーザが、会員本登録する際の本登録処理について図１８に示すフローチャートに基づいて説明する。
【０１６６】
会員仮登録した携帯端末３のユーザは、利用規約を最寄りのプリントステーション６で印刷すると、その利用規約の印刷完了通知がプリントステーション６からポータルサイトコンピュータ２に自動的に通知される。
【０１６７】
ポータルサイトコンピュータ２は、プリントステーション６から利用規約の印刷完了通知を受信すると、利用規約の同意確認を促す電子メールを該当ユーザの携帯端末３に送信する。
【０１６８】
図１８において、携帯端末３のＣＰＵ３１は、ポータルサイトコンピュータ２から同意確認を促す電子メールを受信すると（ステップＰ２１）、例えば、図２０（Ｅ）に示すような同意確認メール画面を表示する。
【０１６９】
次いで、同意確認メール画面の表示内容に従って、ユーザによりユーザＩＤとパスワードが入力され（ステップＰ２２）、同意がクリックされると（ステップＰ２３）、その入力されたユーザＩＤとパスワード、及び同意のクリック情報をポータルサイトコンピュータ２に送信して（ステップＰ２４）、本本登録処理を終了する。
【０１７０】
この携帯端末３により本登録処理に応じて、ポータルサイトコンピュータ２では、会員の本登録処理（図２９参照）が実行される。
【０１７１】
会員の本登録処理に移行する前に、ポータルサイトコンピュータ２では、図１３に示した「ｄａｉｌｙ処理」として、利用会員ファイル２Ｂ内の各登録会員の登録状態フラグのセット内容が“１（仮登録済み）”であるユーザを抽出し、この抽出ユーザに対して利用規約の印刷を催促するユーザ処理である利用規約印刷催促処理を実行する。
【０１７２】
この利用規約印刷催促処理について図２３に示すフローチャートに基づいて説明する。
【０１７３】
図２３において、ポータルサイトコンピュータ２のＣＰＵ２１は、「ｄａｉｌｙ処理」として、利用会員ファイル２Ｂ内の各登録会員の登録状態フラグの設定内容を確認し（ステップＳ３０１）、登録状態フラグのセット内容が“１（仮登録済み）”であるユーザを抽出する（ステップＳ３０２）。
【０１７４】
次いで、ＣＰＵ２１は、抽出したユーザの入会登録日を現日付と比較し（ステップＳ３０３）、入会登録後３０日以上経過したかを確認する（ステップＳ３０４）。３０日以上経過している場合、ＣＰＵ２１は、会員登録を削除する趣旨の通知メールを該当ユーザの携帯端末３に送信し（ステップＳ３０５）、当該ユーザの登録状態フラグを“８（仮登録削除）”にセットして（ステップＳ３０６）、本利用規約印刷催促処理を終了する。
【０１７５】
この会員登録削除の通知メールにより携帯端末３に表示される登録削除の確認メール画面の例を図２０（Ｆ）に示す。
【０１７６】
また、ステップＳ３０４において、入会登録後の経過日数が３０日未満である場合、ＣＰＵ２１は、印刷催促メールを送信済みか否かを、利用会員ファイル２Ｂ内のメール送信フラグが“１（送信済み）”にセットされているかにより確認する（ステップＳ３０７）。
【０１７７】
メール送信フラグが“１（送信済み）”にセットされている場合、ＣＰＵ２１は、本利用規約印刷催促処理を終了し、メール送信フラグが“０（未送信）”にセットされている場合、ＣＰＵ２１は、更に入会登録後から７日以上経過したユーザの有無を確認する（ステップＳ３０８）。
【０１７８】
入会登録後の経過日数が７日未満のユーザしかいない場合、ＣＰＵ２１は、本利用規約印刷催促処理を終了し、入会登録後の経過日数が７日以上のユーザが存在する場合、ＣＰＵ２１は、利用規約の印刷を催促する印刷催促メールを、該当ユーザの携帯端末３に送信し（ステップＳ３０９）、メール送信フラグを“１（送信済み）”にセットして（ステップＳ３１０）、次の該当ユーザの有無を確認する（ステップＳ３１１）。
【０１７９】
次の該当ユーザがいなければ、ＣＰＵ２１は、本利用規約印刷催促処理を終了し、次の該当ユーザがいれば、ＣＰＵ２１は、ステップＳ３０９に戻って印刷催促メールの送信処理を繰り返す。
【０１８０】
この印刷催促メールの送信により携帯端末３に表示される利用規約の印刷催促メール画面の例を図２０（Ｃ）に示す。
【０１８１】
したがって、ポータルサイトコンピュータ２は、仮登録された携帯端末３のユーザに対して利用規約の印刷を催促することができるとともに、利用規約を印刷しないままの会員登録情報を削除することができる。
【０１８２】
次に、上記利用規約の印刷催促メッセージを受信した携帯端末３のユーザが、利用規約を印刷する際にプリントステーション６において実行される利用規約印刷処理について図２４に示すフローチャートに基づいて説明する。
【０１８３】
図２４において、プリントステーション６のＣＰＵ６１は、図２５（Ａ）に示すようなトップメニュー画面を表示して、ユーザによる入力を待機し（ステップＴ１０１）、そのトップメニュー画面において利用規約の印刷メニューが選択されると（ステップＴ１０２）、図２５（Ｂ）に示す利用規約印刷の入力画面に移行する。
【０１８４】
そして、ＣＰＵ６１は、利用規約印刷の入力画面においてユーザＩＤ（登録電話番号）と利用会員パスワードの入力を待機し（ステップＴ１０３）、ユーザＩＤとパスワードが入力されると（ステップＴ１０４）、ポータルサイトコンピュータ２にユーザ認証の処理開始要求を送信し（ステップＴ１０５）、その入力されたユーザＩＤとパスワードをポータルサイトコンピュータ２に送信する（ステップＴ１０６）。
【０１８５】
次いで、ＣＰＵ６１は、ポータルサイトコンピュータ２からユーザ認証結果を受信して確認し（ステップＴ１０７）、そのユーザ認証結果がＮＧであれば、再度ユーザＩＤとパスワードの入力処理に移行し（ステップＴ１０９）、ステップＣ１０３に戻る。
【０１８６】
また、ユーザ認証結果がＯＫであれば（ステップＴ１１０）、ＣＰＵ６１は、記憶装置６８に予め格納された図２６に示すような利用規約データの印刷を実行し（ステップＴ１１１）、利用規約印刷中は、図２５（Ｃ）に示すような利用規約印刷中の画面を表示する。
【０１８７】
そして、ＣＰＵ６１は、利用規約の印刷処理が完了すると、印刷完了通知をポータルサイトコンピュータ２に送信して（ステップＴ１１２）、本利用規約印刷処理を終了する。
【０１８８】
このプリントステーション６における利用規約印刷処理に応じて、ポータルサイトコンピュータ２により実行される利用規約印刷処理について図２７に示すフローチャートに基づいて説明する。
【０１８９】
図２７において、ポータルサイトコンピュータ２のＣＰＵ２１は、プリントステーション６からのアクセスを待機し（ステップＳ１０１）、プリントステーション６からアクセスが開始されると、ユーザ認証処理要求の受信を待機する（ステップＳ１０２）。
【０１９０】
ユーザ認証処理要求を受信すると、ＣＰＵ２１は、ユーザＩＤとパスワードの受信を待機し（ステップＳ１０３）、プリントステーション６からユーザＩＤとパスワードを受信すると（ステップＳ１０４）、利用会員ファイル２Ｂの登録情報に基づいてユーザ認証処理を実行し（ステップＳ１０５）、そのユーザ認証結果を確認する（ステップＳ１０６）。
【０１９１】
そのユーザ認証結果がＮＧである場合、ＣＰＵ２１は、ユーザ認証結果（ＮＧ）をプリントステーション６に送信して（ステップＳ１０７）、本利用規約印刷処理を終了する。また、ユーザ認証結果がＯＫであれば、ＣＰＵ２１は、ユーザ認証結果（ＯＫ）をプリントステーション６に送信し（ステップＳ１０８）、プリントステーション６からの印刷完了通知の受信を待機する（ステップＳ１０９）。
【０１９２】
そして、ＣＰＵ２１は、印刷完了通知をプリントステーション６から受信すると（ステップＳ１１０）、利用会員ファイル２Ｂ内の該当ユーザの利用規約印刷日を登録し（ステップＳ１１１）、印刷催促メールの送信状態を示すメール送信フラグを“０（未送信）”にセットする（ステップＳ１１２）。
【０１９３】
次いで、ＣＰＵ２１は、利用会員ファイル２Ｂ内の該当ユーザの登録状態フラグを“２（規約印刷済み）”にセットし（ステップＳ１１３）、利用規約の同意確認を促す電子メールを当該ユーザの携帯端末３に送信して（ステップＳ１１４）、本利用規約印刷処理を終了する。
【０１９４】
この利用規約の同意確認メールの送信により携帯端末３に表示される同意確認メール画面の例を図２０（Ｅ）に示す。
【０１９５】
次に、会員の本登録処理に移行する前に、ポータルサイトコンピュータ２では、図１３に示した「ｄａｉｌｙ処理」として、利用会員ファイル２Ｂ内の各登録会員の登録状態フラグのセット内容が“２（規約印刷済み）”であるユーザを抽出し、この抽出ユーザに対して利用規約の同意を催促するユーザ処理である利用規約同意催促処理を実行する。
【０１９６】
この利用規約同意催促処理について図２８に示すフローチャートに基づいて説明する。
【０１９７】
図２８において、ポータルサイトコンピュータ２のＣＰＵ２１は、「ｄａｉｌｙ処理」として、利用会員ファイル２Ｂ内の各登録会員の登録状態フラグの設定内容を確認し（ステップＳ４０１）、登録状態フラグのセット内容が“２（規約印刷済み）”であるユーザを抽出する（ステップＳ４０２）。
【０１９８】
次いで、ＣＰＵ２１は、抽出したユーザの利用規約印刷日を現日付と比較し（ステップＳ４０３）、利用規約印刷後３０日以上経過したかを確認する（ステップＳ４０４）。３０日以上経過している場合、ＣＰＵ２１は、会員登録を削除する趣旨の通知メールを該当ユーザの携帯端末３に送信し（ステップＳ４０５）、当該ユーザの登録状態フラグを“８（仮登録削除）”にセットして（ステップＳ４０６）、本利用規約同意催促処理を終了する。
【０１９９】
この会員登録削除の通知メールにより携帯端末３に表示される登録削除の確認メール画面の例を図２０（Ｆ）に示す。
【０２００】
また、ステップＳ４０４において、入会登録後の経過日数が３０日未満である場合、ＣＰＵ２１は、同意催促メールを送信済みか否かを、利用会員ファイル２Ｂ内のメール送信フラグが“１（送信済み）”にセットされているかにより確認する（ステップＳ４０７）。
【０２０１】
メール送信フラグが“１（送信済み）”にセットされている場合、ＣＰＵ２１は、本利用規約同意催促処理を終了し、メール送信フラグが“０（未送信）”にセットされている場合、ＣＰＵ２１は、更に利用規約印刷後から１４日以上経過したユーザの有無を確認する（ステップＳ４０８）。
【０２０２】
利用規約印刷後の経過日数が１４日未満のユーザしかいない場合、ＣＰＵ２１は、本利用規約同意催促処理を終了し、利用規約印刷後の経過日数が１４日以上のユーザが存在する場合、ＣＰＵ２１は、利用規約の同意を催促する同意催促メールを、該当ユーザの携帯端末３に送信し（ステップＳ４０９）、メール送信フラグを“１（送信済み）”にセットして（ステップＳ４１０）、次の該当ユーザの有無を確認する（ステップＳ４１１）。
【０２０３】
次の該当ユーザがいなければ、ＣＰＵ２１は、本利用規約同意催促処理を終了し、次の該当ユーザがいれば、ＣＰＵ２１は、ステップＳ４０９に戻って同意催促メールの送信処理を繰り返す。
【０２０４】
この同意催促メールの送信により携帯端末３に表示される利用規約の同意催促メール画面の例を図２０（Ｄ）に示す。
【０２０５】
したがって、ポータルサイトコンピュータ２は、仮登録された携帯端末３のユーザに対して利用規約の同意を催促することができるとともに、利用規約を印刷した後で同意しないままの会員登録情報を削除することができる。
【０２０６】
同意確認メールを受信した携帯端末３では、図１８に示した本登録処理が実行され、ポータルサイトコンピュータ２に対して同意通知とユーザＩＤ、パスワードが送信される。
【０２０７】
この携帯端末３における本登録処理に応じてポータルサイトコンピュータ２により実行される本登録処理について図２９に示すフローチャートに基づいて説明する。
【０２０８】
図２９において、ポータルサイトコンピュータ２のＣＰＵ２１は、携帯端末３ユーザからの同意メールの受信を待機し（ステップＳ２０１）、携帯端末３からユーザＩＤとパスワードを受信し（ステップＳ２０２）、同意通知を受信すると（ステップＳ２０３）、利用会員ファイル２Ｂの登録情報に基づいてユーザ認証処理を行う（ステップＳ２０４）。
【０２０９】
そして、ＣＰＵ２１は、ユーザ認証結果がＮＧである場合、ユーザＩＤとパスワード再入力を要求する電子メールを携帯端末３に送信して（ステップＳ２０５）、本本登録処理を終了する。
【０２１０】
また、ユーザ認証結果がＯＫである場合、ＣＰＵ２１は、利用会員ファイル２Ｂ内の当該ユーザのメール送信フラグを“０（未送信）”にセットし（ステップＳ２０６）、登録状態フラグを“３（本登録済み）”にセットする（ステップＳ２０７）。
【０２１１】
次いで、ＣＰＵ２１は、利用会員ファイル２Ｂ内の当該ユーザの利用ポイント残高に入会ポイントを加算し（ステップＳ２０８）、入会ポイントの案内する電子メールを携帯端末３に送信し（ステップＳ２０９）、紹介のお礼と紹介ポイントの案内の電子メールを紹介者の携帯端末３に送信して（ステップＳ２１０）、本本登録処理を終了する。
【０２１２】
この本登録時に新規登録ユーザの携帯端末３に表示される本登録メール画面の例を図２０（Ｇ）に示す。
【０２１３】
以上の図１５〜図１８、図２３〜図２９の各処理が、本実施の形態のプリントサービスにおけるユーザ登録を実現する一連の処理である。
【０２１４】
以上のように、ポータルサイトコンピュータ２は、仮登録後の携帯端末ユーザに対して利用規約の印刷催促処理や同意催促処理を自動的に実行し、仮登録後の一定期間（７日以上かつ３０日未満）利用規約を未印刷のユーザや、利用規約印刷後の一定期間（７日以上かつ３０日以上）未同意のユーザに対して、利用規約の印刷催促メッセージや同意催促メッセージを送信して、利用規約の印刷と同意を催促するようにした。
【０２１５】
したがって、携帯端末３のユーザがプリントサービスへの登録時に利用規約（契約内容）の確認を容易にすることができるとともに、契約同意を容易にすることができる。
【０２１６】
また、ポータルサイトコンピュータ２は、利用規約の印刷催促処理や同意催促処理により、仮登録後の一定期間（３０日以上）利用規約を未印刷の仮登録ユーザや未同意の仮登録ユーザに対して、登録を削除する旨の電子メールを送信して会員登録情報を削除するようにした。
【０２１７】
このため、ポータルサイトコンピュータ２を運営・管理する業者は、プリントサービス用のコンテンツを本登録したユーザにのみ提供することが可能になり、プリントサービスの利用効率の向上を図ることができ、料金回収の機会の増大を見込むことが可能になる。
【０２１８】
次に、利用予約処理に移行する前に、ポータルサイトコンピュータ２では、図１３に示した「ｄａｉｌｙ処理」として、利用会員ファイル２Ｂ内の各登録会員の最終印刷日時に基づいてプリントサービスを所定期間未利用ユーザを抽出し、この抽出ユーザに対して利用を催促するユーザ処理である利用促進処理を実行する。
【０２１９】
この利用促進処理について図３０に示すフローチャートに基づいて説明する。図３０において、ポータルサイトコンピュータ２のＣＰＵ２１は、「ｄａｉｌｙ処理」として、利用会員ファイル２Ｂ内の各会員の最終印刷日時により未利用状態を確認し（ステップＳ１００１）、最終印刷日時と現日付とを比較し（ステップＳ１００２）、最終印刷日時から１２ヶ月以上経過したかを確認する（ステップＳ１００３）。
【０２２０】
１２ヶ月以上経過している場合、ＣＰＵ２１は、会員登録を削除する趣旨の通知メールを該当ユーザの携帯端末３に送信し（ステップＳ１００４）、当該ユーザの登録状態フラグを“９（本登録削除）”にセットして（ステップＳ１００５）、本利用促進処理を終了する。
【０２２１】
この会員登録削除の通知メールにより携帯端末３に表示されるユーザ登録削除の確認メール画面の例を図２１（Ｅ）に示す。
【０２２２】
また、ステップＳ１００３において、最終印刷日時からの経過日数が１２ヶ月未満である場合、ＣＰＵ２１は、さらに最終印刷日時から６ヶ月以上経過したかを確認する（ステップＳ１００６）。
【０２２３】
最終印刷日時からの経過日数が６ヶ月未満である場合、ＣＰＵ２１は、本利用促進処理を終了し、最終印刷日時からの経過日数が６ヶ月以上である場合、ＣＰＵ２１は、利用会員ファイル２Ｂ内の利用促進メールの送信フラグのセット状態を確認する（ステップＳ１００７）。
【０２２４】
利用促進メールの送信フラグが“１（送信済み）”である場合、ＣＰＵ２１は、本利用促進処理を終了し、利用促進メールの送信フラグが“０（未送信）”である場合、ＣＰＵ２１は、利用促進の電子メールを該当ユーザの携帯端末３に送信し（ステップＳ１００８）、利用促進メールの送信フラグを“１（送信済み）”にセットして（ステップＳ１００９）、本利用促進処理を終了する。
【０２２５】
この利用促進メールにより未利用ユーザの携帯端末３に表示される利用の促進メール画面の例を図２１（Ｄ）に示す。
【０２２６】
したがって、ポータルサイトコンピュータ２は、プリントサービスを未利用の携帯端末３ユーザに対して利用促進を促すことができる。
【０２２７】
次に、携帯端末３において実行されるプリントサービスの利用予約登録処理について図３１、３２に示すフローチャートに基づいて説明する。
【０２２８】
携帯端末３の利用者は、プリントサービスを利用予約登録する際のアクセス方法として、プリントサービスを提供するポータルサイトコンピュータ２に直接アクセスしてリンクする方法と、通信事業者１がインターネットＳ上で提供するオフィシャルサイトあるいは一般サイトにアクセスしてプリントサービスにリンクする方法をとることができる。
【０２２９】
携帯端末３では、利用者からの指示によりインターネットＳ上のサイトへのアクセスが指示されると、ＣＰＵ３１は、無線通信制御部３４により無線接続された通信ネットワークＮから通信事業者１を介して指示されたサイトにアクセスして、図３１の利用予約登録処理を開始する。
【０２３０】
図３１において、ＣＰＵ３１は、まず、インターネットＳ上にアクセスしてリンクしたサイトの種類が、「ポータルサイト」か、「通信事業者のオフィシャルサイト」か、「通信事業者の一般サイト」かを判別する（ステップＰ３１）。
【０２３１】
リンクしたサイトがポータルサイトである場合、ＣＰＵ３１は、ポータルサイトコンピュータ２からプリント利用予約情報メニューを受信し（ステップＰ３２）、プリント利用予約情報メニュー画面（図示省略）を表示する。
【０２３２】
次いで、ＣＰＵ３１は、リンクした際にポータルサイトコンピュータ２に送信したユーザＩＤ（携帯電話番号）によるユーザ認証結果をポータルサイトコンピュータ２から受信して確認し（ステップＰ３３）、そのユーザ認証結果がＮＧであればエラー表示をして（ステップＰ３４）、本利用予約登録処理を終了する。
【０２３３】
また、ユーザ認証結果がＯＫでれば、ＣＰＵ３１は、プリント利用予約情報メニュー画面において選択されたメニューに対応するコンテンツ（情報内容）をポータルサイトコンピュータ２から受信し、そのコンテンツ選択画面を表示する（ステップＰ３５）。
【０２３４】
コンテンツ選択画面の表示例を図２２（Ａ）に示す。このコンテンツ選択画面の例では、「アルバイト情報」の情報検索画面を表示した場合を示している。
【０２３５】
次いで、ＣＰＵ３１は、表示したコンテンツ選択画面内で、ユーザが印刷したい情報が選択されたか否かを判別し（ステップＰ３６）、印刷したい情報が選択されるまでステップＰ３５のコンテンツ選択画面の表示を継続し、印刷したい情報が選択されると、選択された情報をポータルサイトコンピュータ２に送信する。  そして、ＣＰＵ３１は、ポータルサイトコンピュータ２からプリントサービス利用内容を受信して表示した後、ユーザによる印刷ボタンの選択操作を待機し（ステップＰ３７、Ｐ３８）、印刷ボタンが選択されず、戻りボタンが選択された場合、ステップＰ３５のコンテンツ選択画面の表示に戻る。
【０２３６】
また、印刷ボタンが選択された場合、ＣＰＵ３１は、その印刷指示情報をポータルサイトコンピュータ２に送信し、ポータルサイトコンピュータ２からユーザ認証画面を受信して表示して（ステップＰ３９）、ステップＰ５６に移行する。
【０２３７】
また、ステップＰ３１においてインターネットＳ上にアクセスしてリンクしたサイトの種類が「通信事業者のオフィシャルサイト」である場合、ＣＰＵ３１は、オフィシャルサイトの情報メニューを通信事業者１から受信して表示し、メニュー項目の選択を待機する（ステップＰ４０）。
【０２３８】
このとき、通信事業者１は、インターネットＳを介してプリントサービスを提供するポータルサイトコンピュータ２とリンクするため、オフィシャルサイト情報メニュー内容には、プリントサービスメニューが含まれる。
【０２３９】
プリントサービスメニューが選択されると、ＣＰＵ３１は、その選択メニュー情報を通信事業者１に送信し、その選択されたオフィシャルサイト情報メニュー内容（プリントサービス内容）を通信事業者１から受信して、コンテンツ選択画面（図２２（Ａ）参照）を表示する（ステップＰ４１）。
【０２４０】
このとき、通信事業者１は、リンクしたポータルサイトコンピュータ２から受信するプリントサービス内容を含むオフィシャルサイト情報メニュー内容を携帯端末３に送信する。
【０２４１】
次いで、ＣＰＵ３１は、表示したコンテンツ選択画面内で、ユーザが印刷したい情報が選択されたか否かを判別し（ステップＰ４２）、印刷したい情報が選択されるまでステップＰ４１のコンテンツ選択画面の表示を継続し、印刷したい情報が選択されると、選択された情報を通信事業者１に送信する。
【０２４２】
そして、ＣＰＵ３１は、通信事業者１とリンクしたポータルサイトコンピュータ２からプリントサービス利用内容を受信して表示した後、ユーザによる印刷ボタンの選択操作を待機し（ステップＰ４３、Ｐ４４）、印刷ボタンが選択されず、戻りボタンが選択された場合、ステップＰ４１のオフィシャルサイトの情報メニュー画面の表示に戻る。
【０２４３】
また、印刷ボタンが選択された場合、ＣＰＵ３１は、その印刷指示情報を通信事業者１に送信し、通信事業者１とリンクしたポータルサイトコンピュータ２からユーザ認証画面を受信して表示して（ステップＰ４６）、利用会員チェックによりユーザが既存利用会員か新規利用会員かを確認する（ステップＰ４７）。ＣＰＵ３１は、新規利用会員であれば利用会員登録処理に移行し、既存利用会員であればステップＰ５６に移行する。
【０２４４】
また、ステップＰ３１においてインターネットＳ上にアクセスしてリンクしたサイトの種類が「通信事業者の一般サイト」である場合、ＣＰＵ３１は、サイトの情報メニューを通信事業者１から受信して表示し、メニュー項目の選択を待機する（ステップＰ４７）。
【０２４５】
このとき、通信事業者１は、インターネットＳを介してプリントサービスを提供するポータルサイトコンピュータ２とリンクするため、オフィシャルサイト情報メニュー内容には、プリントサービスメニューが含まれる。
【０２４６】
プリントサービスメニューが選択されると、ＣＰＵ３１は、その選択メニュー情報を通信事業者１に送信し、その選択されたオフィシャルサイト情報メニュー内容（プリントサービス内容）を通信事業者１から受信して、コンテンツ選択画面（図２２（Ａ）参照）を表示する（ステップＰ４８）。
【０２４７】
このとき、通信事業者１は、リンクしたポータルサイトコンピュータ２から受信するプリントサービス内容を含むオフィシャルサイト情報メニュー内容を携帯端末３に送信する。
【０２４８】
次いで、ＣＰＵ３１は、表示したコンテンツ選択画面内で、ユーザが印刷したい情報が選択されたか否かを判別し（ステップＰ４９）、印刷したい情報が選択されるまでステップＰ４８のコンテンツ選択画面の表示を継続し、印刷したい情報が選択されると、選択された情報を通信事業者１に送信する。
【０２４９】
そして、ＣＰＵ３１は、通信事業者１とリンクしたポータルサイトコンピュータ２からプリントサービス利用内容を受信して表示した後、ユーザによる印刷ボタンの選択操作を待機し（ステップＰ５０、Ｐ５１）、印刷ボタンが選択されず、戻りボタンが選択された場合、ステップＰ４７の一般サイトの情報メニュー画面の表示に戻る。
【０２５０】
また、印刷ボタンが選択された場合、ＣＰＵ３１は、その印刷指示情報を通信事業者１に送信し、通信事業者１とリンクしたポータルサイトコンピュータ２からユーザ認証画面を受信して表示して（ステップＰ５２）、利用会員チェックによりユーザが既存利用会員か新規利用会員かを確認する（ステップＰ５３）。
【０２５１】
ＣＰＵ３１は、新規利用会員であれば利用会員登録処理に移行し、既存利用会員であれば、更にポータルサイトコンピュータ２からユーザ認証結果を受信して確認し（ステップＰ５４）、そのユーザ認証結果がＮＧであればエラー表示して（ステップＰ５５）、本利用予約登録処理を終了し、ユーザ認証結果がＯＫであればステップＰ５６に移行する。
【０２５２】
ステップＰ５６において、ＣＰＵ３１は、ポータルサイトコンピュータ２から送信される選択したコンテンツの利用予約確認画面を表示し、その利用予約確認画面における確認操作を待機する。
【０２５３】
利用予約確認画面の表示例を図２２（Ｂ）に示す。この利用予約確認画面では、「コンテンツ名称：○○アルバイト情報、情報サービス料：２００円、印刷サービス料：６０円、標準印刷メディア：普通紙Ａ４（２面）、印刷予約枚数：３枚など」が表示され、利用予約確認用の操作ボタンとして「利用ボタン」が表示され、利用予約取り消し用の操作ボタンとして「取消ボタン」が表示されている。
【０２５４】
そして、ＣＰＵ３１は、操作されたボタンが「利用ボタン」か「取消ボタン」かを確認し（ステップＰ５７）、「取消ボタン」が操作された場合は、本利用予約登録処理を終了し、「利用ボタン」が操作された場合は、利用確認情報をポータルサイトコンピュータ２に送信する。
【０２５５】
次いで、ＣＰＵ３１は、ポータルサイトコンピュータ２から印刷形式選択画面（図２２（Ｃ）参照）を受信して表示する（ステップＰ５８）。図２２（Ｃ）に示す印刷形式選択画面では、入力項目及び選択項目として「印刷部数、印刷メディア（用紙）、多面メディア印刷方式、広告の掲載印刷など」が表示されている。
【０２５６】
さらに、同図の印刷形式選択画面では、印刷形式選択内容を確定する「予約ボタン」と、印刷形式選択内容を取り消す「取消ボタン」が表示されている。
【０２５７】
そして、印刷形式選択画面内の入力項目及び選択項目の表示位置に従って、印刷部数を入力させ（ステップＰ５９）、印刷メディア（用紙）「普通紙Ａ４（２面）、普通紙Ａ４（１面）、バイブル版リフィル（３面）、ミニ番リフィル（４面）など」を選択させ（ステップＰ６０）、多面メディアの連続印刷「連続印刷、コンテンツ毎に改頁など」を選択させ（ステップＰ６１）、多面メディアの広告挿入印刷「有り、無し」を選択させる（ステップＰ６２）。
【０２５８】
以上の印刷形式選択内容が全て入力及び選択されると、ＣＰＵ３１は、印刷形式選択内容を確認するボタン操作を確認し（ステップＰ６３）、「取消ボタン」が操作された場合はステップＰ５７の利用予約確認処理に戻り、「予約ボタン」が操作された場合は、その印刷予約内容を印刷予約確認画面（図２２（Ｄ）参照）を表示し、その印刷予約情報をポータルサイトコンピュータ２に送信して（ステップＰ６４）、本利用予約登録処理を終了する。
【０２５９】
次に、携帯端末３において実行された利用予約登録処理に応じて、ポータルサイトコンピュータ２のＣＰＵ２１により実行されるユーザ認証処理について図３３に示すフローチャートに基づいて説明する。
【０２６０】
図３３において、ＣＰＵ２１は、まず、携帯端末３からのユーザ認証サイトへのリンクを待機し（ステップＳ４１）、リンクした携帯端末３からリンクパラメータを受信すると（ステップＳ４２）、そのリンクパラメータにおけるユーザ予約ＩＤと携帯ユーザＩＤの設定の有無を確認する（ステップＳ４３、Ｓ４４）。
【０２６１】
そして、ＣＰＵ３１は、ユーザ予約ＩＤと携帯ユーザＩＤが設定されていれば、ステップＳ５５に移行して利用会員ファイル２Ｂによりユーザ認証処理し、続いて、そのユーザ認証確認結果が「新規」であれば、利用会員登録処理（図１６、１７）に移行し、該当する利用会員情報が登録されていれば、利用予約情報受付処理（図３５、３６）に移行する。
【０２６２】
また、リンクパラメータにユーザ予約ＩＤと携帯ユーザＩＤが設定されていなければ、ＣＰＵ２１は、通信事業者１に対して携帯ユーザＩＤの取得を要求し（ステップＳ４５）、携帯ユーザＩＤの有無を確認する（ステップＳ４６）。
【０２６３】
そして、ＣＰＵ２１は、携帯ユーザＩＤが取得できればステップＳ４９に移行して、携帯ユーザＩＤを利用会員ファイル２Ｂを参照してユーザ認証処理し、携帯ユーザＩＤが取得できなければ携帯端末３に対してユーザ認証処理を要求し（ステップＳ４７）、携帯ユーザＩＤとパスワードを取得して（ステップＳ４８）、利用会員ファイル２Ｂを参照してユーザ認証処理を実行する（ステップＳ４９）。
【０２６４】
次いで、ＣＰＵ２１は、ユーザ認証結果を確認し（ステップＳ５０）、そのユーザ認証結果がＮＧであれば携帯端末３に認証結果がＮＧであることを送信して（ステップＳ５１）、本ユーザ認証処理を終了し、ユーザ認証結果がＯＫであれば利用会員ファイルからユーザ予約ＩＤを取得する（ステップＳ５２）。
【０２６５】
次いで、ＣＰＵ２１は、プリンサービスの利用コンテンツのリンク先メニュー情報を送信し（ステップＳ５３）、携帯端末３からコンテンツ選択情報を受信して、その選択されたコンテンツサイト（情報提供事業者コンピュータ４）へユーザ予約ＩＤをパラメータにしてリンクさせて（ステップＳ５４）、本ユーザ認証処理を終了する。
【０２６６】
次に、上記ポータルサイトコンピュータ２におけるユーザ認証処理によりリンクされた情報提供事業者コンピュータ４により実行されるコンテンツ利用案内処理について図３４に示すフローチャートに基づいて説明する。
【０２６７】
図３４において、情報提供事業者コンピュータ４は、ポータルサイトコンピュータ２あるいは携帯端末３からのコンテンツサイトへのリンクを待機し（ステップＣ１）、リンクしたポータルサイトコンピュータ２あるいは携帯端末３からリンクパラメータを受信すると（ステップＣ２）、そのリンクパラメータにおけるユーザ予約ＩＤの設定の有無を確認する（ステップＣ３）。
【０２６８】
そして、情報提供事業者コンピュータ４は、ユーザ予約ＩＤが設定されていればステップＣ６に移行し、ユーザ予約ＩＤが設定されていなければ通信事業者１に対して携帯ユーザＩＤの取得を要求し（ステップＣ４）、携帯ユーザＩＤの有無を確認する（ステップＣ５）。
【０２６９】
そして、情報提供事業者コンピュータ４は、携帯ユーザＩＤが取得できなければステップＣ１１に移行してポータルサイトコンピュータ２のユーザ認証処理にリンクし、携帯ユーザＩＤが取得できれば携帯端末３へコンテンツサイトの情報メニューを送信する。
【０２７０】
次いで、携帯端末３からコンテンツ選択情報を受信すると、情報提供事業者コンピュータ４は、その選択されたコンテンツサイトの情報を送信し（ステップＣ７）、携帯端末３からの印刷利用予約情報の送信の有無を待機し（ステップＣ８）、印刷利用予約情報を受信しなければ本コンテンツ利用案内処理を終了し、印刷利用予約情報の受信があれば、利用予約されたコンテンツファイルを生成する（ステップＣ９）。
【０２７１】
そして、情報提供事業者コンピュータ４は、リンクパラメータ（ユーザ予約ＩＤ、携帯ユーザＩＤ、コンテンツＵＲＬ、情報サービス料金、標準メディア指定、コンテンツ種類区分、コンテンツ名称、印刷頁数など）をコンテンツファイルにセットし（ステップＣ１０）、ポータルサイトコンピュータ２のユーザ認証処理にリンクして（ステップＣ１１）、本コンテンツ利用案内処理を終了する。
【０２７２】
次に、ポータルサイトコンピュータ２のＣＰＵ２１においてユーザ認証処理に続いて実行される利用予約情報受付処理について図３５、３６に示すフローチャートに基づいて説明する。
【０２７３】
図３５において、ＣＰＵ２１は、まず、ユーザ認証処理によりリンクパラメータ（ユーザ予約ＩＤ、携帯ユーザＩＤ、コンテンツＵＲＬ、情報サービス料金、標準メディア指定、コンテンツ種類区分、コンテンツ名称、印刷頁数など）を取得すると（ステップＳ６１）、そのコンテンツ種別と利用者属性（年齢）から利用制限（年齢による制限）をチェックする（ステップＳ６２、Ｓ６３）。
【０２７４】
そして、ＣＰＵ２１は、コンテンツ利用制限がＮＧであれば、携帯端末３に利用制限文を送信して（ステップＳ６４）、本利用予約情報受付処理を終了し、コンテンツ利用制限がＯＫであればコンテンツ種別区分による利用制限（設置店による制限）をチェックする（ステップＳ６５、Ｓ６６）。
【０２７５】
そして、ＣＰＵ２１は、設置店による利用制限がＮＧであれば利用可能な設置店案内文を携帯端末３に送信し（ステップＳ６７）、ステップＳ６８に移行し、設置店による利用制限がＯＫであれば直ちにステップＳ６８に移行する。
【０２７６】
ステップＳ６８において、ＣＰＵ２１は、選択されたコンテンツのプリントサービス内容（コンテンツ名称、情報サービス料金、印刷サービス料金、標準メディア、印刷頁数など）を携帯端末３に送信する。
【０２７７】
次いで、ＣＰＵ２１は、送信したプリントサービス内容に応じて携帯端末３から送信される利用予約の選択値（利用あるいは取消）を取得し（ステップＳ６９）、その選択値に基づいて利用予約の確認を行う（ステップＳ７０）。選択値が「取消」である場合は、本利用予約情報受付処理を終了し、選択値が「利用」である場合は、印刷形式選択画面（図２２（Ｃ）参照）を携帯端末３に送信する（ステップＳ７１）。
【０２７８】
次いで、ＣＰＵ２１は、送信した印刷形式選択画面に応じて携帯端末３から送信される印刷部数の入力値を取得し（ステップＳ７２）、更に印刷メディア（用紙）の選択値（普通紙Ａ４（２面）、普通紙Ａ４（１面）、バイブル版リフィル（３面）、ミニ版リフィル（４面）など）を取得する（ステップＳ７３）。
【０２７９】
更に、ＣＰＵ２１は、携帯端末３から送信される多面メディアの連続印刷選択値（連続印刷、コンテンツ毎に印刷など）を取得し（ステップＳ７４）、多面メディアの広告挿入印刷選択値（広告印刷：有り、無し）を取得し（ステップＳ７５）、印刷形式の選択値（予約あるいは取消）を取得して印刷形式を確認する（ステップＳ７６）。
【０２８０】
そして、ＣＰＵ２１は、選択値が「取消」である場合は、ステップＳ６８のプリントサービス内容の送信処理に戻り、選択値が「予約」である場合は、ステップＳ７２〜Ｓ７５で受け付けた利用予約内容を携帯端末３に送信し（ステップＳ７７）、その利用予約情報内容を利用予約情報ファイル２Ｆ（図９（Ａ）参照）内の該当利用者のファイルに更新処理して（ステップＳ７８）、印刷コンテンツ生成処理に移行する。
【０２８１】
続いて、ポータルサイトコンピュータ２のＣＰＵ２１により実行される印刷コンテンツ生成処理について図３７に示すフローチャートに基づいて説明する。
【０２８２】
図３７において、ＣＰＵ２１は、まず、情報提供事業者コンピュータ４が提供するコンテンツＵＲＬからコンテンツサイトの更新日時を取得し（ステップＳ８１）、取得した更新日時とコンテンツ履歴ファイル２Ｉ（図１０（Ｂ）参照）内の該当コンテンツの更新日時とを比較し（ステップＳ８２）、コンテンツ更新の有無を確認する（ステップＳ８３）。
【０２８３】
そして、ＣＰＵ２１は、コンテンツ更新が無ければステップＳ８５に移行し、コンテンツ更新が有ればコンテンツＵＲＬから更新されたコンテンツを取り込み、コンテンツ履歴ファイル２Ｉを更新する（ステップＳ８４）。
【０２８４】
次いで、コンテンツ履歴ファイル２Ｉ内の該当コンテンツの有効期間を一定期間延長し（ステップＳ８５）、印刷書式ファイル２Ｈ（図１０（Ａ）参照）内の該当利用者の印刷書式から印刷メディア別の利用予約枚数と印刷面数を取得し（ステップＳ８６）、連続印刷指定の有無を確認する（ステップＳ８７）。
【０２８５】
そして、ＣＰＵ２１は、連続印刷指定が有れば、予約されている印刷面数に続けてコンテンツ履歴ファイル２Ｉから指定の印刷メディア（用紙）のフォーマットに沿ってコンテンツを展開し印刷枚数を取得する（ステップＳ８８）。
【０２８６】
また、連続印刷指定が無ければコンテンツ履歴ファイル２Ｉから指定の印刷メディア（用紙）のフォーマットに沿ってコンテンツを展開し印刷枚数を取得する（ステップＳ８９）。
【０２８７】
次いで、ＣＰＵ２１は、ステップＳ８８あるいはステップＳ８９において取得した印刷枚数と印刷サービス単価ファイル２Ｇ（図９（Ｂ）参照）内の該当印刷メディア（用紙）の１枚印刷サービス単価とから印刷サービス料金を計算する（ステップＳ９０）。
【０２８８】
続いて、ＣＰＵ２１は、利用予約情報ファイル２Ｆ（図９（Ａ）参照）内の該当利用予約情報の情報サービス料金，印刷サービス料金，印刷枚数等の諸データを更新し（ステップＳ９１）、利用会員ファイル２Ｂ（図８参照）内の該当利用会員の予約印刷サービス料金，予約情報サービス料金，利用時硬貨投入金額，次回繰越クーポン金額を更新する（ステップＳ９２）。
【０２８９】
更に、ＣＰＵ２１は、印刷書式ファイル２Ｈ（図１０（Ａ）参照）内の該当利用会員の印刷メディア（用紙）別の枚数などを更新し（ステップＳ９３）、携帯端末３の利用者宛に利用料金の案内とプリントサービスの準備完了の電子メールで通知して（ステップＳ９４）、本印刷コンテンツ生成処理を終了する。
【０２９０】
ポータルサイトコンピュータ２から携帯端末３の利用者宛に通知された利用料金の案内とプリントサービスの準備完了の電子メールの表示例を図２２（Ｅ）に示す。
【０２９１】
次に、上記利用予約登録処理において登録した利用予約内容を変更あるいは削除する際に、携帯端末３により実行される利用予約変更・削除処理について図３８に示すフローチャートに基づいて説明する。
【０２９２】
図３８において、ＣＰＵ３１は、まず、ポータルサイトコンピュータ２に設定されたプリントサービスサイトに接続し（ステップＰ７１）、ポータルサイトコンピュータ２からプリントサービスメニューを受信して、図１９（Ａ）に示すプリントサービスメニューを表示する。
【０２９３】
そして、ＣＰＵ３１は、メニュー画面においてユーザにより「３．利用予約の確認（予約の変更を含む）」あるいは「４．利用予約の取消（予約の削除）」が選択されると（ステップＰ７３）、ユーザＩＤとパスワードを入力させ、その入力されたユーザＩＤとパスワードをポータルサイトコンピュータ２に送信する（ステップＰ７４）。
【０２９４】
次いで、ＣＰＵ３１は、ユーザ認証結果をポータルサイトコンピュータ２から受信して確認し（ステップＰ７５）、そのユーザ認証結果がＮＧであれば本利用予約変更・削除処理を終了し、ユーザ認証結果がＯＫであれば、選択したコンテンツの利用予約確認画面をポータルサイトコンピュータ２から受信して表示し、ユーザによる確認指示を待機する（ステップＰ７６）。
【０２９５】
この携帯端末３に表示される利用予約確認メール画面の例を図２１（Ａ）に示す。この利用予約確認メール画面では、コンテンツ名称、情報サービス料金、印刷サービス料金、標準印刷メディア、印刷枚数等が表示される。
【０２９６】
次いで、ＣＰＵ３１は、利用予約の確認指示が利用か取消かを確認し（ステップＰ７７）、取消である場合は次の利用予約の有無を確認し（ステップＰ７８）、次の利用予約があればステップＰ７６に戻り、次の利用予約がなければ、取り消された印刷予約内容を表示し、その取り消された印刷予約内容をポータルサイトコンピュータ２に送信して（ステップＰ８５）、本利用予約変更・削除処理を終了する。
【０２９７】
また、利用予約の確認指示が利用である場合、ＣＰＵ３１は、ポータルサイトコンピュータ２から印刷形式選択画面を受信して表示し（ステップＰ７９）、印刷部数を入力させ（ステップＰ８０）、印刷メディアを選択させ（ステップＰ８１）、多面メディアの連続印刷内容（連続印刷か、コンテンツ毎に改頁か）を選択させ（ステップＰ８２）、多面メディアの広告挿入印刷の有無を選択させて（ステップＰ８３）、印刷方式の確認指示を判別する（ステップＰ８４）。
【０２９８】
印刷方式の確認指示が取消であれば、ＣＰＵ３１はステップＰ７７に戻り、印刷方式の確認指示が予約であれば、ＣＰＵ３１はその印刷予約内容をポータルサイトコンピュータ２に送信して（ステップＰ８５）、本利用予約変更・削除処理を終了する。
【０２９９】
この携帯端末３による利用予約変更・削除処理に応じて、ポータルサイトコンピュータ２により実行される利用予約変更・削除処理について図３９に示すフローチャートに基づいて説明する。
【０３００】
図３９において、ポータルサイトコンピュータ２のＣＰＵ２１は、携帯端末３から利用予約の変更ページにアクセスされ（ステップＳ６０１）、ユーザＩＤとパスワードを受信すると（ステップＳ６０２）、利用会員ファイル２Ｂの登録情報に基づいてユーザ認証処理を実行し（ステップＳ６０３）、そのユーザ認証結果を確認する（ステップＳ６０４）。
【０３０１】
そのユーザ認証結果がＮＧである場合、ＣＰＵ２１は、本利用予約変更・削除処理を終了し、そのユーザ認証結果がＯＫである場合、ＣＰＵ２１は、利用予約変更・削除のメニューページを携帯端末３に送信し（ステップＳ６０５）、認証したユーザの利用予約情報を利用予約情報ファイル２Ｆ（図９（Ａ）参照）から取得して当該ユーザの携帯端末３に送信する（ステップＳ６０６）。
【０３０２】
次いで、ＣＰＵ２１は、携帯端末３から送信される利用予約の変更確認指示内容が変更無しか変更有りかを確認し（ステップＳ６０７）、変更無し（確認のみ）の場合はステップＳ６０９に移行し、変更有りの場合は、携帯端末３から受信した変更された利用予約情報内容により利用予約情報ファイル２Ｆ内の該当情報を更新処理する（ステップＳ６０８）。
【０３０３】
利用予約情報が変更無しの場合、あるいは利用予約情報を更新処理した後、ＣＰＵ２１は、認識ユーザの次の利用予約情報の有無を確認し（ステップＳ６０９）、次の利用予約情報がある場合はステップＳ６０７に戻り、次の利用予約情報が無い場合は、利用予約の変更・削除を確認する電子メールを携帯端末３に送信して（ステップＳ６１０）、本利用予約変更・削除処理を終了する。
【０３０４】
この利用予約の変更・削除を確認する電子メールにより携帯端末３に表示される利用予約の変更確認メール画面の例を図２１（Ａ）に示す。
【０３０５】
次に、利用予約されたコンテンツの印刷処理に移行する前に、ポータルサイトコンピュータ２では、図１３に示した「ｄａｉｌｙ処理」として、利用予約情報ファイル２Ｆ（図９（Ａ）参照）内の印刷完了日時が記憶されていないユーザを抽出し、この抽出ユーザに対して予約したコンテンツの印刷を催促するユーザ処理である予約印刷催促処理を実行する。
【０３０６】
この予約印刷催促処理について図４０に示すフローチャートに基づいて説明する。
図４０において、ポータルサイトコンピュータ２のＣＰＵ２１は、「ｄａｉｌｙ処理」として、利用予約情報ファイル２Ｆ（図９（Ａ）参照）内の印刷完了日時を確認し（ステップＳ７０１）、利用予約情報の印刷未完了であるユーザを抽出する（ステップＳ７０２）。
【０３０７】
次いで、ＣＰＵ２１は、抽出したユーザの予約登録日を現日付と比較し（ステップＳ７０３）、予約登録後７日以上経過したかを確認する（ステップＳ７０４）。７日未満である場合、ＣＰＵ２１は、本予約印刷催促処理を終了し、７日以上経過している場合、ＣＰＵ２１は、更に予約登録後１０日以上経過したかを確認する（ステップＳ７０５）。
【０３０８】
１０日以上経過している場合、ＣＰＵ２１は、該当する利用予約情報を利用予約情報ファイル２Ｆから削除し（ステップＳ７０６）、該当するコンテンツ履歴情報をコンテンツ履歴ファイル２Ｉ（図１０（Ｂ）参照）から削除し（ステップＳ７０７）、該当する印刷書式情報を印刷書式ファイル２Ｈ（図１０（Ａ）参照）から削除し（ステップＳ７０８）、予約削除を確認する電子メールを携帯端末３に送信して（ステップＳ７１０）、本予約印刷催促処理を終了する。
【０３０９】
また、ステップＳ７０５において、予約登録後の経過日数が１０日未満である場合、ＣＰＵ２１は、携帯端末３に利用催促の電子メールを送信し（ステップＳ７１０）、次の該当ユーザの有無を確認する（ステップＳ７１１）。
【０３１０】
次の該当ユーザがいなければ、ＣＰＵ２１は、本印刷催促処理を終了し、次の該当ユーザがいれば、ＣＰＵ２１は、ステップＳ７１０に戻って利用催促メールの送信処理を繰り返す。
【０３１１】
この利用催促メールにより携帯端末３に表示される予約削除のメール画面の例を図２１（Ｂ）に示す。
【０３１２】
したがって、ポータルサイトコンピュータ２は、コンテンツの印刷予約が登録された携帯端末３のユーザに対して利用を催促することができるとともに、利用予約した後で未利用の利用予約情報を削除することができる。
【０３１３】
次に、プリントステーション６のＣＰＵ６１により実行される利用予約情報印刷処理について図４１に示すフローチャートに基づいて説明する。
【０３１４】
図４１において、ＣＰＵ６１は、まず、プリントサービスの印刷予約をした携帯端末３の利用者からのアクセスによりプリントサービスメニュー（図２５（Ａ）参照）を表示し（ステップＴ２０１）、選択されたメニュー項目を確認する（ステップＴ２０２）。
【０３１５】
そして、ＣＰＵ６１は、選択されたメニュー項目が「利用予約印刷」以外の他の項目であれば、その選択項目に対応した他の処理に移行し、選択されたメニュー項目が「利用予約印刷」であれば、図４３（Ａ）に示すような利用予約プリントサービスのトップメニュー画面を表示して、ユーザＩＤとパスワードの入力を促す（ステップＴ２０３）。
【０３１６】
利用者からユーザＩＤとパスワードが入力されると、ＣＰＵ６１は、その入力データをポータルコンサイトピュータ２に送信し（ステップＴ２０４）、ユーザ認証結果の受信を待機する（ステップＴ２０５）。
【０３１７】
そして、ＣＰＵ６１は、ポータルコンピュータ２からユーザ認証結果がＮＧであることを受信すると（ステップＴ２０６）、エラー表示を行い（ステップＴ２０７）、ユーザ認証結果がＯＫであることを受信すると、ポータルサイトコンピュータ２に対して認証した利用者の利用予約情報ファイルの送信要求を行い（ステップＴ２０８）、利用予約情報ファイルの受信を待機する。
【０３１８】
ＣＰＵ６１は、ポータルサイトコンピュータ２から利用予約情報ファイルが無いこと示す通知を受信した場合（ステップＴ２０９）、エラー表示を行って（ステップＴ２１０）、本利用予約情報印刷処理を終了し、利用予約情報ファイルが有ること示す通知を受信した場合（ステップＴ２０９）、ユーザ認証された利用者に対応する利用予約情報ファイル及び利用会員ファイルをポータルサイトコンピュータ２から取り込む（ステップＴ２１１）。
【０３１９】
次いで、ＣＰＵ６１は、取り込んだ利用会員ファイル及び利用予約情報ファイルの内容に基づいて生成した利用予約情報の項目を図４３（Ｂ）に示すような購入金額表示画面内に表示し（ステップＴ２１２）、その表示項目であるクーポン残高に対して印刷サービス料と情報サービス料の合計から硬貨投入金額が必要か不必要かを判別する（ステップＴ２１３）。
【０３２０】
図４３（Ｂ）に示す購入金額表示画面の場合は、当該利用者のクーポン残高「２５０円」、印刷サービス料「１８０円」、情報サービス料「２００円」であるため、クーポン残高が１３０円分が不足しており、硬貨投入を１００円単位として２００円分の硬貨投入が必要となる。
【０３２１】
従って、ＣＰＵ６１は、硬貨投入金額が不要である場合はステップＴ２１８に移行し、上記のように硬貨投入金額が必要である場合は、今回のプリントサービス利用に必要な購入金額を図４３（Ｂ）のように表示して、利用者の硬貨投入を待機する（ステップＴ２１４）。
【０３２２】
そして、ＣＰＵ６１は、表示した硬貨投入金額に対する利用者の応答として、硬貨投入装置６９からの硬貨投入情報の有無と、表示画面内の取消ボタン操作の有無とを確認する（ステップＴ２１５）。取消ボタンが操作された場合はエラー表示して（ステップＴ２１６）、ポータルサイトコンピュータ２に取消指示を送信して（ステップＴ２１７）、本利用予約情報印刷処理を終了し、硬貨投入金額の投入を確認した場合はステップＴ２１８に移行する。
【０３２３】
次いで、ＣＰＵ６１は、ポータルサイトコンピュータ２に対して利用予約情報に対応したコンテンツ履歴ファイルと印刷書式ファイルの送信要求を行い（ステップＴ２１８）、ポータルサイトコンピュータ２から送信されるコンテンツ履歴ファイルと印刷書式ファイルを取り込む（ステップＴ２１９）。
【０３２４】
そして、ＣＰＵ６１は、指定された印刷メディア（用紙）毎にコンテンツと広告コンテンツを、取り込んだ印刷書式に従って印刷データを生成し、その印刷データを印刷装置６８に出力して印刷完了まで待機する（ステップＴ２２０）。
【０３２５】
このとき、ＣＰＵ６１は、図４３（Ｂ）に示した購入金額表示画面に続いて図４４（Ａ）に示すようなコンテンツ印刷中の画面を表示する。
【０３２６】
続いて、ＣＰＵ６１は、印刷装置６８からの印刷完了通知を確認し（ステップＴ２２１）、印刷完了通知がＯＫであればポータルサイトコンピュータ２に利用予約情報ファイルの印刷完了を通知し（ステップＴ２２３）、印刷した広告クーポン金額合計を画面表示して（ステップＴ２２４）、本利用予約情報印刷処理を終了する。
【０３２７】
このとき、ＣＰＵ６１は、図４４（Ａ）に示したコンテンツ印刷中の画面に続いて同図（Ｂ）に示すようなコンテンツ印刷終了後の広告クーポン案内画面を表示する。この場合、広告印刷指定が無く広告クーポン金額は「０円」であり、次回の繰り越しクーポン金額が「７０円」であることを示している。
【０３２８】
繰り越しクーポン金額は、上記硬貨投入金額「２００円」に対して、釣り銭を現金で返却せず、その利用残高「７０円」分を次回のプリントサービスで利用できるクーポン残高として繰り越すものである。
【０３２９】
このように利用残高をクーポンとして管理することで、プリントステーション６における現金処理機能を簡略化して、装置コストを低減させている。
【０３３０】
また、ＣＰＵ６１は、印刷装置６８からの通知がＮＧで印刷エラー内容を受信した場合は、印刷エラー内容に対応したエラー修復指示を表示して、設置店舗の店員などによりエラー修復を行わせ（ステップＴ２２２）、ステップＴ２２０に戻る。
【０３３１】
以上の利用予約情報印刷処理において、印刷形式が変更された場合の印刷媒体の変更例を図４５に示す。この図４５では、Ａ４普通紙向けのコンテンツがシステム手帳（Ｂ６）向けコンテンツに変更された例を示しており、プリントステーション６では、印刷方式の変更指示に応じてコンテンツ印刷媒体変換処理が実行されている。
【０３３２】
次に、上記プリントステーション６における利用予約情報印刷処理に応じてポータルサイトコンピュータ２のＣＰＵ２１により実行される利用予約情報印刷処理について図４２に示すフローチャートに基づいて説明する。
【０３３３】
図４２において、ＣＰＵ２１は、まず、プリントステーション６からのユーザ認証要求を待機し（ステップＳ８０１）、プリントステーション６からユーザ認証要求を受信すると、プリントステーション６の端末認証処理を行う（ステップＳ８０２）。すなわち、プリントサービス用端末として登録されたプリントステーション６であるか否かが確認される。
【０３３４】
次いで、ＣＰＵ２１は、プリントステーション６から送信される携帯端末３の利用者のユーザＩＤとパスワードを取り込み（ステップＳ８０３）、利用会員ファイル２Ｂ（図８参照）を参照してユーザ認証処理を実行する（ステップＳ８０４）。
【０３３５】
次いで、ＣＰＵ２１は、そのユーザの登録状態フラグの設定が“３（本登録済み）”であるか否かを確認し（ステップＳ８０５）、登録状態フラグの設定が“３”以外である場合は、プリントステーション６に印刷不可を送信し（ステップＳ８０６）、登録状態フラグの設定が“３”である場合は、ユーザ認証結果を確認し（ステップＳ８０７）。
【０３３６】
そのユーザ認証結果がＮＧであれば、ＣＰＵ２１は、プリントステーション６に認証結果がＮＧであることを送信して（ステップＳ８０８）、本利用予約情報印刷処理を終了し、ユーザ認証結果がＯＫであれば、ＣＰＵ２１は、ユーザ認証結果（ＯＫ）をプリントステーション６に送信し、利用予約情報送信要求の受信を待機する（ステップＳ８０９）。
【０３３７】
そして、ＣＰＵ２１は、プリントステーション６から利用予約情報送信要求を受信すると、認証した利用者の利用予約情報ファイルの有無を利用予約情報ファイル２Ｆ（図９（Ａ）参照）を参照して有無を確認する（ステップＳ８１０、Ｓ８１１）。
【０３３８】
ＣＰＵ２１は、認証した利用者の利用予約情報ファイルが無ければ、利用エラー情報をプリントステーション６に送信して（ステップＳ８１２）、本利用予約情報印刷処理を終了し、認証した利用者の利用予約情報ファイルが有れば、今回利用されるプリントステーション６に対する利用予約情報ファイルの利用端末制限情報の有無をコンテンツ履歴ファイル２Ｉ（図１０（Ｂ）の「ステーション設置店利用制限」を参照）を参照して確認する（ステップＳ８１３、Ｓ８１４）。
【０３３９】
そして、ＣＰＵ２１は、利用端末制限が設定されていてＮＧであれば、利用エラー情報をプリントステーション６に送信して（ステップＳ８１２）、本利用予約情報印刷処理を終了し、利用端末制限が設定されておらずＯＫであれば、プリントステーション６に認証した利用者の利用予約情報ファイル及び利用会員ファイルを送信する（ステップＳ８１５）。
【０３４０】
次いで、ＣＰＵ２１は、プリントステーション６から送信されるコンテンツ履歴ファイルと印刷書式ファイルの送信要求の受信を待機し（ステップＳ８１６）、その送信要求を受信すると、要求内容が「ＯＫ」か「取消」か否かを確認する（ステップＳ８１７）。
【０３４１】
そして、ＣＰＵ２１は、要求内容が「ＯＫ」であればコンテンツ履歴ファイルと印刷書式ファイルをプリントステーション６に送信し（ステップＳ８１８）、「取消」であれば本利用予約情報印刷処理を終了する。
【０３４２】
次いで、ＣＰＵ２１は、プリントステーション６から送信される印刷完了通知の受信を待機し、印刷完了通知を受信すると、印刷完了がＯＫかＮＧかを確認する（ステップＳ８１９）。印刷完了通知がＮＧである場合は本利用予約情報印刷処理を終了し、印刷完了通知がＯＫで有る場合は利用会員ファイル２Ｂ（図８参照）内の当該利用会員のクーポン残高に広告クーポン金額を加算し、利用予約情報ファイルを更新する（ステップＳ８２０）。
【０３４３】
続いて、ＣＰＵ２１は、利用者履歴ファイル２Ｋ（図１１参照）内の当該利用者の利用者履歴情報を更新し（ステップＳ８２１）、コンテンツ利用履歴ファイル２Ｌ（図１２参照）内の当該コンテンツの利用履歴情報を更新し（ステップＳ８２２）、更に、広告掲載履歴ファイル２Ｍ内の当該広告コンテンツの掲載履歴情報を更新して（ステップＳ８２３）、本利用予約情報印刷処理を終了する。
【０３４４】
以上の図３１〜図４２の各処理が、本実施の形態におけるプリントサービスを実現する一連の処理である。
【０３４５】
したがって、本実施の形態のプリントサービスシステム１００では、携帯端末３のユーザは、インターネットＳ上のポータルサイトコンピュータ２にリンクしてプリントサービス内容を予約でき、その予約したプリントサービスのコンテンツを最寄りの店舗に設置されたプリントステーション６から指定した印刷媒体として取得することができる。
【０３４６】
以上のように、本実施の形態のプリントサービスシステム１００では、ポータルサイトコンピュータ２は、仮登録後の携帯端末ユーザに対して利用規約の印刷催促処理や同意催促処理を自動的に実行し、仮登録後の一定期間（７日以上かつ３０日未満）利用規約を未印刷の仮登録ユーザや、利用規約印刷後の一定期間（７日以上かつ３０日以上）未同意の仮登録ユーザに対して、利用規約の印刷催促メッセージや同意催促メッセージを送信して、利用規約の印刷と同意を催促するようにした。
【０３４７】
また、ポータルサイトコンピュータ２は、仮登録後の一定期間（３０日以上）利用規約を未印刷の仮登録ユーザや未同意の仮登録ユーザに対して、仮登録を削除する旨の電子メールを送信して会員登録情報を削除するようにした。
【０３４８】
したがって、携帯端末３のユーザがプリントサービスへの会員登録時に利用規約（契約内容）の確認を容易にすることができるとともに、契約同意を容易にすることができる。
【０３４９】
また、ポータルサイトコンピュータ２を運営・管理する業者は、プリントサービス用のコンテンツを本登録したユーザにのみ提供することが可能になり、プリントサービスの利用効率の向上を図ることができ、料金回収の機会の増大を見込むことが可能になる。
【０３５０】
さらに、ポータルサイトコンピュータ２は、印刷予約したコンテンツを未印刷のユーザに対して利用催促処理を自動的に実行し、印刷予約後の一定期間（７日以上かつ１０日未満）未印刷のユーザに対して、予約コンテンツの印刷を催促するメッセージを送信するようにした。
【０３５１】
また、ポータルサイトコンピュータ２は、印刷予約後の一定期間（１０日以上）未印刷のユーザに対して、利用予約情報等を削除して予約削除を通知する電子メールを送信するようにした。
【０３５２】
したがって、印刷予約したコンテンツを未印刷の携帯端末のユーザに対して印刷催促をすることができ、印刷予約したコンテンツの放置を防止することができる。
【０３５３】
また、ポータルサイトコンピュータ２は、最終利用日から一定期間（６ヶ月未満）プリントサービスを未利用のユーザに対して、利用促進メールを送信するようにした。
【０３５４】
また、ポータルサイトコンピュータ２は、最終利用日から一定期間（１２ヶ月以上）未利用のユーザに対して、会員登録を削除する旨の電子メールを送信して会員登録情報を削除するようにした。
【０３５５】
したがって、プリントサービスの未利用期間が長い携帯端末のユーザに対してプリントサービスの利用促進を図ることができ、プリントサービスの利用向上を図ることができる。
【０３５６】
その結果、コンテンツを提供する業者、システムを運用・管理する業者、及び携帯端末ユーザに対して、より有益かつ有用なプリントサービスシステムを提供することができる。
【０３５７】
なお、上記実施の形態において、プリントステーション６に携帯端末３に設定された携帯電話番号を自動的に取り込む手段を設ければ、携帯端末３の利用者が携帯電話番号を入力する手間を省略できる。
【０３５８】
また、上記実施の形態に示したプリントサービスシステム１００のシステム構成は一例であり、携帯端末の種類や台数、プリントステーションの台数や設置場所も任意に変更可能である。
【０３５９】
【発明の効果】
請求項１記載の発明によれば、情報端末のユーザが会員登録時に利用規約（契約内容）の確認を容易にすることができるとともに、契約同意を容易にすることができる。
【０３６０】
また、サーバを運営・管理する業者は、配信用のコンテンツを本登録したユーザにのみ提供することが可能になり、コンテンツ配信サービスの利用効率の向上を図ることができ、料金回収の機会の増大を見込むことが可能になる。
【０３６１】
請求項２記載の発明によれば、利用規約に未同意のままの情報端末ユーザに対して同意催促を容易に行うことができる。
【０３６２】
請求項３記載の発明によれば、利用規約を未印刷のままの情報端末ユーザに対して利用規約の印刷催促を容易に行うことができる。
【図面の簡単な説明】
【図１】本発明を適用した一実施の形態におけるプリントサービスシステムのシステム構成を示す図である。
【図２】図１の携帯端末３と情報提供事業者コンピュータ４の各制御系の概略構成を示す図である。
【図３】図１の広告サイト事業者コンピュータ５とプリントステーション６の各制御系の概略構成を示す図である。
【図４】図１のポータルサイトコンピュータ２の制御系の概略構成を示す図である。
【図５】図１のポータルサイトコンピュータ２の要部構成を示すブロック図である。
【図６】図１の携帯端末３の要部構成を示すブロック図である。
【図７】図１のプリントステーション６のの要部構成を示すブロック図である。
【図８】図５の記憶装置２６に格納された利用会員ファイル２Ｂの具体例を示す図である。
【図９】図５の記憶装置２６に格納された利用予約情報ファイル２Ｆの具体例（同図（Ａ））と、印刷サービス単価ファイルＧの具体例（同図（Ｂ））を示す図である。
【図１０】図５の記憶装置２６に格納された印刷書式ファイル２Ｈの具体例（同図（Ａ））と、コンテンツ履歴ファイル２Ｉの具体例（同図（Ｂ））を示す図である。
【図１１】図５の記憶装置２６に格納された利用者履歴ファイル２Ｋの具体例を示す図である。
【図１２】図５の記憶装置２６に格納されたコンテンツ利用者履歴ファイル２Ｌの具体例を示す図である。
【図１３】図５のポータルサイトコンピュータ２において実行されるｄａｉｌｙ処理を示すフローチャートである。
【図１４】図５のポータルサイトコンピュータ２において実行される逐次処理を示すフローチャートである。
【図１５】図６の携帯端末３において実行される利用会員登録処理を示すフローチャートである。
【図１６】図５のポータルサイトコンピュータ２において実行される利用会員登録処理の一部を示すフローチャートである。
【図１７】図１６に続く利用会員登録処理を示すフローチャートである。
【図１８】図６の携帯端末３において実行される本登録処理を示すフローチャートである。
【図１９】図６の携帯端末３に表示されるポータルサイトメニュー画面（同図（Ａ））と、会員登録画面の遷移状態（同図（Ｂ）〜（Ｆ））を示す図である。
【図２０】図６の携帯端末３に表示される会員登録に関わる画面（同図（Ａ）〜（Ｇ））を示す図である。
【図２１】図６の携帯端末３に表示される利用予約後の変更や催促メール受信に関わる画面（同図（Ａ）〜（Ｅ））を示す図である。
【図２２】図６の携帯端末３に表示される利用予約に関わる画面（同図（Ａ）〜（Ｅ））を示す図である。
【図２３】図５のポータルサイトコンピュータ２において実行される利用規約印刷催促処理を示すフローチャートである。
【図２４】図７のプリントステーション６において実行される利用規約印刷処理を示すフローチャートである。
【図２５】図７のプリントステーション６に利用規約印刷処理時に表示される画面の遷移状態（同図（Ａ）〜（Ｃ））を示す図である。
【図２６】図７のプリントステーション６において印刷される利用規約の一例を示す図である。
【図２７】図５のポータルサイトコンピュータ２において実行される利用規約印刷処理を示すフローチャートである。
【図２８】図５のポータルサイトコンピュータ２において実行される利用規約同意催促処理を示すフローチャートである。
【図２９】図５のポータルサイトコンピュータ２において実行される本登録処理を示すフローチャートである。
【図３０】図５のポータルサイトコンピュータ２において実行される利用促進処理を示すフローチャートである。
【図３１】図６の携帯端末３において実行される利用予約登録処理の一部を示すフローチャートである。
【図３２】図３１に続く利用予約登録処理を示すフローチャートである。
【図３３】図５のポータルサイトコンピュータ２において実行されるユーザ認証処理を示すフローチャートである。
【図３４】図１の情報提供事業者コンピュータ４において実行されるコンテンツ利用案内処理を示すフローチャートである。
【図３５】図５のポータルサイトコンピュータ２において実行される利用予約情報受付処理の一部を示すフローチャートである。
【図３６】図３５に続く利用予約情報受付処理を示すフローチャートである。
【図３７】図５のポータルサイトコンピュータ２において実行される印刷コンテンツ生成処理を示すフローチャートである。
【図３８】図６の携帯端末３において実行される利用予約変更・削除処理を示すフローチャートである。
【図３９】図５のポータルサイトコンピュータ２において実行される利用予約変更・削除処理を示すフローチャートである。
【図４０】図５のポータルサイトコンピュータ２において実行される予約印刷催促処理を示すフローチャートである。
【図４１】図７のプリントステーション６において実行される利用予約情報印刷処理を示すフローチャートである。
【図４２】図５のポータルサイトコンピュータ２において実行される利用予約情報印刷処理を示すフローチャートである。
【図４３】図７のプリントステーション６に表示されるプリントサービスのメニュー画面（同図（Ａ））と、購入金額表示画面（同図（Ｂ））を示す図である。
【図４４】図７のプリントステーション６に表示されるコンテンツ印刷中の画面（同図（Ａ））と、コンテンツ印刷終了後の画面（同図（Ｂ））を示す図である。
【図４５】図７のプリントステーション６の利用予約情報印刷処理において実行されるコンテンツ印刷媒体の変換処理の具体例を示す図である。
【符号の説明】
１    通信事業者
２    ポータルサイトコンピュータ
２Ｂ  利用会員ファイル
２Ｆ  利用予約情報ファイル
２Ｇ  印刷サービス単価ファイル
２Ｈ  印刷書式ファイル
２Ｉ  コンテンツ履歴ファイル
２Ｋ  利用者履歴ファイル
２Ｌ  コンテンツ利用履歴ファイル
２Ｍ  広告掲載履歴ファイル
２Ｏ  広告コンテンツファイル
３    携帯端末
４    情報提供事業者コンピュータ
５    広告サイト事業者コンピュータ
６    プリントステーション
２１、３１、６１  ＣＰＵ
２２、３２、６２  表示部
２３、３３、６３  入力部
２４、６４  インターネット伝送制御部
２５、３５、６５  ＲＡＭ
２６、３６、６６  記憶装置
２７、３７、６７  記憶媒体
２９、３８、７０  バス
３４    無線通信制御部
６９    硬貨投入装置
１００    プリントサービスシステム
Ｎ    通信ネットワーク
Ｓ    インターネット
【図１】
0004061813.tif 000002
【図２】
0004061813.tif 000003
【図３】
0004061813.tif 000004
【図４】
0004061813.tif 000005
【図５】
0004061813.tif 000006
【図６】
0004061813.tif 000007
【図７】
0004061813.tif 000008
【図８】
0004061813.tif 000009
【図９】
0004061813.tif 000010
【図１０】
0004061813.tif 000011
【図１１】
0004061813.tif 000012
【図１２】
0004061813.tif 000013
【図１３】
0004061813.tif 000014
【図１４】
0004061813.tif 000015
【図１５】
0004061813.tif 000016
【図１６】
0004061813.tif 000017
【図１７】
0004061813.tif 000018
【図１８】
0004061813.tif 000019
【図１９】
0004061813.tif 000020
【図２０】
0004061813.tif 000021
【図２１】
0004061813.tif 000022
【図２２】
0004061813.tif 000023
【図２３】
0004061813.tif 000024
【図２４】
0004061813.tif 000025
【図２５】
0004061813.tif 000026
【図２６】
0004061813.tif 000027
【図２７】
0004061813.tif 000028
【図２８】
0004061813.tif 000029
【図２９】
0004061813.tif 000030
【図３０】
0004061813.tif 000031
【図３１】
0004061813.tif 000032
【図３２】
0004061813.tif 000033
【図３３】
0004061813.tif 000034
【図３４】
0004061813.tif 000035
【図３５】
0004061813.tif 000036
【図３６】
0004061813.tif 000037
【図３７】
0004061813.tif 000038
【図３８】
0004061813.tif 000039
【図３９】
0004061813.tif 000040
【図４０】
0004061813.tif 000041
【図４１】
0004061813.tif 000042
【図４２】
0004061813.tif 000043
【図４３】
0004061813.tif 000044
【図４４】
0004061813.tif 000045
【図４５】
0004061813.tif 000046